(57)【要約】【課題】媒体の束に含まれている各媒体が、幅寄せ可能範囲内に位置する媒体であるかどうかを検出できるようにする。【解決手段】分離部１５内における、フィードローラ１７及びリバースローラ１８よりアライナ部５に近い位置に、分離部１５により小切手束ＣＫＢから分離された小切手ＣＫがアライナ部５で幅寄せ可能な幅寄せ可能範囲Ａｒ内に位置しているかどうかを検出する為の分離部残留センサ３４Ｒ、３４Ｌを設けた。これにより、小切手処理機１は、小切手束ＣＫＢから分離した小切手ＣＫがアライナ部５で幅寄せ可能な位置にあるかどうか、つまり小切手ＣＫの幅寄せ基準面２７側の端（右端）が幅寄せ可能範囲Ａｒ内に位置しているかどうかを検出できる。【選択図】図２
2017214188.tif 000002
【特許請求の範囲】
【請求項１】
紙葉状の媒体の束を受け入れる受入部と、
前記受入部が受け入れた前記媒体の束を媒体ごとに分離する媒体分離部と、
前記媒体分離部によって分離された前記媒体を搬送する搬送路と、
前記搬送路に設けられ、前記媒体分離部によって分離された前記媒体を前記搬送路の幅寄せ基準面側に幅寄せする分離後媒体幅寄せ部と、
前記媒体分離部によって分離された前記媒体の少なくとも一部が、前記分離後媒体幅寄せ部で幅寄せできる幅寄せ可能範囲内に位置しているかどうかを検出する検出部と
を備えることを特徴とする媒体処理装置。
【請求項２】
前記検出部は、前記媒体分離部と前記搬送路との間に配置されている
ことを特徴とする請求項１に記載の媒体処理装置。
【請求項３】
前記検出部によって前記幅寄せ可能範囲内に位置していると検出されなかった媒体を前記媒体分離部を介して分離待ちの媒体の束の上に戻し、前記媒体分離部により再度分離するように前記媒体分離部を制御する制御部をさらに備える
ことを特徴とする請求項１又は２に記載の媒体処理装置。
【請求項４】
前記分離待ちの媒体の束の上に戻された媒体を前記幅寄せ基準面側に幅寄せする分離前媒体幅寄せ部をさらに備える
ことを特徴とする請求項３に記載の媒体処理装置。
【請求項５】
前記分離前媒体幅寄せ部は、
弾性部材で形成された羽部を有する羽根車であり、前記分離待ちの媒体の束の上に戻された媒体を前記羽部が上から叩くように回転するとともに、当該媒体と接触している前記羽部が前記幅寄せ基準面側にねじれながら撓むことにより、当該媒体を前記幅寄せ基準面側に幅寄せする
ことを特徴とする請求項４に記載の媒体処理装置。
【請求項６】
前記羽根車の回転軸方向は、前記搬送路における搬送方向と直交する幅方向であり、前記羽部は、前記幅寄せ基準面側の端から前記媒体と接触して前記幅寄せ基準面側にねじれながら撓むように前記羽根車の回転軸方向に対して傾けられている
ことを特徴とする請求項５に記載の媒体処理装置。
【請求項７】
前記検出部は、
前記搬送路における搬送方向と直交する幅方向に間隔を空けて配置された複数のセンサを有し、
前記複数のセンサは、媒体の少なくとも一部が前記幅寄せ可能範囲内に位置する媒体を検出する少なくとも１個のセンサと、媒体の全体が前記幅寄せ可能範囲外に位置する媒体を検出する少なくとも１個のセンサである
ことを特徴とする請求項１〜６のいずれかに記載の媒体処理装置。
【請求項８】
前記検出部は、
前記幅方向に間隔を空けて配置された複数のセンサの検出結果をもとに、前記媒体のサイズを特定する
ことを特徴とする請求項７に記載の媒体処理装置。
【請求項９】
前記搬送路に設けられたセンサにより前記媒体の搬送を監視するとともに、前記検出部により特定された前記媒体のサイズに応じて、前記搬送路に設けられたセンサによる監視動作を切り替える媒体監視部をさらに備える
ことを特徴とする請求項８に記載の媒体処理装置。
【請求項１０】
前記検出部は、
前記幅方向に間隔を空けて配置された複数のセンサの検出タイミングのずれをもとに、前記媒体の異常を検出する
ことを特徴とする請求項７に記載の媒体処理装置。
【発明の詳細な説明】
【技術分野】
【０００１】
本発明は媒体処理装置に関し、例えば小切手や有価証券の入金機に適用して好適なものである。
【背景技術】
【０００２】
従来、小切手の入金機として、金融機関等で使用される小切手受付装置がある。この小切手受付装置は、例えば、小切手を束で挿入できるようになっていて、顧客により挿入された小切手の束を１枚ずつ分離して、小切手の幅寄せ機能を有するアライナ部により小切手を基準面（これを幅寄せ基準面と呼ぶ）側に幅寄せした後、小切手からＭＩＣＲ文字を読み取る。さらに小切手受付装置は、小切手を搬送しながらスキャナにより小切手の表裏の画像を取得し、その後、小切手を一時保留部に搬送して一時的に保留する。
【０００３】
さらに小切手受付装置は、小切手を一時保留している間に、顧客操作画面に取引内容の確認画面を表示して顧客に取引内容の確認を促す。そして小切手受付装置は、顧客確認にて取引内容に問題がなかった小切手については裏面に裏書印刷、スタンプ押印などの処理を行った後、小切手収納庫に搬送して保管する。一方で、顧客確認にて取引がキャンセルされた小切手については顧客に返却して、小切手現物の確認を促すようになっていた（例えば特許文献１参照）。
【先行技術文献】
【特許文献】
【０００４】
【特許文献１】米国特許第８５０５９１２号明細書
【発明の概要】
【発明が解決しようとする課題】
【０００５】
ところで、従来の小切手受付装置では、挿入された小切手の束が幅寄せ基準面から離れすぎていると、アライナ部で幅寄せ基準面側に幅寄せしきれなくなる為、挿入された小切手の束の幅寄せ基準面側の端が、アライナ部で幅寄せ可能な範囲（これを幅寄せ可能範囲と呼ぶ）内に位置していることをセンサで検出して小切手の束を受け入れるようになっていた。
【０００６】
しかしながら、従来の小切手受付装置では、サイズ（特に幅方向のサイズ）が異なる小切手がまとめて束として挿入された際に、挿入された束に、幅寄せ基準面側の端が幅寄せ可能範囲外に位置する小切手が含まれていても、他の小切手の幅寄せ基準面側の端が幅寄せ可能範囲内に位置していれば、小切手の束の幅寄せ基準面側の端が幅寄せ可能な範囲内に位置していると判断して受け入れてしまう。
【０００７】
この為、従来の小切手受付装置では、小切手の束に含まれている、幅寄せ基準面側の端が幅寄せ可能範囲外に位置する小切手については、アライナ部で幅寄せ基準面側に幅寄せしきれなくなり、次工程の処理で不具合が発生したり、アライナ部での幅寄せを何度も繰り返して（リトライして）幅寄せしたりしなければならなかった。
【０００８】
本発明は以上の点を考慮してなされたもので、媒体の束に含まれている各媒体が、幅寄せ可能範囲内に位置する媒体であるかどうかを検出し得る媒体処理装置を提案しようとするものである。
【課題を解決するための手段】
【０００９】
かかる課題を解決するため本発明の媒体処理装置においては、紙葉状の媒体の束を受け入れる受入部と、前記受入部が受け入れた前記媒体の束を媒体ごとに分離する媒体分離部と、前記分離部によって分離された前記媒体を搬送する搬送路と、前記搬送路に設けられ、前記媒体分離部によって分離された前記媒体を前記搬送路の幅寄せ基準面側に幅寄せする分離後媒体幅寄せ部と、前記媒体分離部によって分離された前記媒体の少なくとも一部が、前記分離後媒体幅寄せ部で幅寄せできる幅寄せ可能範囲内に位置しているかどうかを検出する検出部とを備える。
【発明の効果】
【００１０】
本発明によれば、媒体の束に含まれている各媒体が、幅寄せ可能範囲内に位置する媒体であるかどうかを検出し得る媒体処理装置を実現できる。
【図面の簡単な説明】
【００１１】
【図１】第１の実施の形態による小切手処理機の構成を示す左側面図である。
【図２】第１の実施の形態による分離部周辺の構成を示す上面図である。
【図３】第１の実施の形態によるピッカプレス及び部分舌片のポジションを示す左側面図である。
【図４】第１の実施の形態による部分舌片の構成を示す斜視図である。
【図５】第１の実施の形態による分離部の構成を示す斜視図である。
【図６】第１の実施の形態による部分舌片の羽部の動きを示す前面図である。
【図７】第１の実施の形態によるテーパローラの構成を示す斜視図である。
【図８】第１の実施の形態による分離動作時の分離部の動きを示す右側面図である。
【図９】第１の実施の形態による集積動作時の分離部の動きを示す右側面図である。
【図１０】第１の実施の形態による幅寄せ繰り出し動作の手順を示すフローチャートである。
【図１１】第２の実施の形態による分離部周辺の構成を示す上面図である。
【図１２】第２の実施の形態によるサイズ検出動作の手順を示すフローチャートである。
【図１３】分離部残留センサを３個設けた場合の分離部周辺の構成を示す上面図である。
【発明を実施するための形態】
【００１２】
以下、発明を実施するための形態（以下実施の形態とする）について、図面を用いて説明する。
【００１３】
［１．第１の実施の形態］
［１−１．小切手処理機の構成］
図１に示すように、第１の実施の形態の小切手処理機１は、箱状の筐体２を中心に構成されており、利用者との間で入金処理等の小切手に関する取引を行う小切手受付装置の受付機筐体（図示せず）内に配され、小切手に関する種々の処理を行う。以下では、小切手処理機１のうち利用者が対峙する側を前側とし、その反対を後側とし、該前側に対峙した利用者から見て左及び右をそれぞれ左側及び右側とし、さらに上側及び下側を定義して説明する。
【００１４】
筐体２内には、小切手処理機１を制御する制御部３と、利用者との間で小切手ＣＫを授受する入金部４と、小切手ＣＫを各部へ搬送する搬送路３６と、小切手ＣＫを後述する幅寄せ基準面２７へ幅寄せするアライナ部５と、小切手ＣＫの画像及び磁気情報を読み取ると共に取引情報の印字を行うスキャナ部６と、小切手ＣＫを一時的に収納する一時保留部７と、利用者が入金部４から取り忘れた小切手ＣＫを回収して格納する取忘れ回収部８と、利用済みの小切手ＣＫを収納する２個の小切手収納庫９（９Ａ及び９Ｂ）とが設けられている。また筐体２内には、入金部４、アライナ部５、スキャナ部６、一時保留部７、取忘れ回収部８及び小切手収納庫９を支える図示しないフレームが設けられている。
【００１５】
制御部３は、図示しないＣＰＵ（Central Processing Unit）を中心に構成されており、図示しないＲＯＭ（Read Only Memory）やフラッシュメモリ等から所定のプログラムを読み出して実行することにより、入金処理等の種々の処理を行う。また制御部３は、内部にＲＡＭ（Random Access Memory）、ハードディスクドライブやフラッシュメモリ等でなる記憶部を有しており、この記憶部に種々の情報を記憶させる。また制御部３は、筐体２内部に設けられた各センサの監視や、各アクチュエータの駆動や、各種判断等を行うと共に、小切手受付装置全体を制御する上位の主制御部との通信を行う。
【００１６】
搬送路３６は、第１搬送路３７、第２搬送路３８、第３搬送路３９、一時保留部搬送路４０及び取忘れ回収部搬送路４１により構成されており、図中に実線で示すように筐体２内の各部を接続し、回転するローラや小切手ＣＫを案内するガイド等が適宜配置されており、小切手ＣＫの長手方向を進行方向に沿わせて搬送する。小切手ＣＫは、長方形状の紙葉状の媒体であり、表面に磁気インク文字認識（ＭＩＣＲ（Magnetic ink character recognition）文字）である磁気文字ＭＩＣＲが印刷されている。この磁気文字ＭＩＣＲは、小切手ＣＫ毎に固有の文字列であり、小切手ＣＫを識別する為に用いられる。また、以下では、小切手ＣＫの長手方向を小切手ＣＫの搬送方向、小切手ＣＫの短手方向を小切手ＣＫの幅方向とする。尚、小切手処理機１では、図２に示すように、サイズの異なる２種類の小切手ＣＫを取り扱うことができ、例えば、ビジネス用の大サイズの小切手ＣＫと、ビジネス用の小切手ＣＫより長手方向及び短手方向の長さが短い個人用の小サイズの小切手ＣＫとを取り扱うことができるようになっている。
【００１７】
また搬送路３６には、複数の切替部が配置されている。各切替部は、ブレードと呼ばれる部材（図１中三角形で示す）及びその周囲に配置された複数のローラにより構成されている。ブレードは、左右方向に複数個が並び、且つ左右方向から見て楔形に形成されており、回転して傾斜方向を変化させることで小切手ＣＫの搬送方向を切り替える。各ローラは、小切手ＣＫの搬送路を挟んで互いに対向するように配置されている。この切替部は、制御部３の制御に従い、各小切手ＣＫの搬送先に応じてブレードの傾斜方向を変化させると共に各ローラを所定の回転方向へ回転させることにより、小切手ＣＫの搬送方向を適宜切り替えて所望の搬送先へ搬送する。
【００１８】
入金部４（図１）は、筐体２内における前上部、すなわち入金処理時の小切手ＣＫの搬送方向の最上流に位置している。以下では、入金処理においてまず行われる、入金された小切手ＣＫの磁気情報及び画像を読み取る入金読取処理における小切手ＣＫの搬送方向を入金読取時搬送方向とも呼ぶ。入金部４の前端には、複数の小切手ＣＫが紙面を上下方向に向けて束状に積み重ねられた媒体束としての小切手束ＣＫＢを利用者から受け取り後方の束搬送部１０へ受け渡すと共に、束搬送部１０により前方へ搬送されてきた小切手束ＣＫＢを利用者に引き渡す入金口４Ｆが形成されている。この入金口４Ｆは、小切手受付装置の受付機筐体に接続されることにより、利用者から前後方向に沿って後方へ向かって挿入された小切手束ＣＫＢを受け取り後方の束搬送部１０へ受け渡すと共に、束搬送部１０により前方へ搬送されてきた小切手束ＣＫＢを利用者に引き渡す。
【００１９】
また入金口４Ｆには、該入金口４Ｆの下側のガイドを形成する入金口下側ガイドの上側において図示しないシャッタモータにより上下に移動するシャッタ４Ｓが設けられている。入金部４は、シャッタ４Ｓを上昇させることにより入金口４Ｆを開放し利用者と小切手ＣＫを授受可能にすると共に、シャッタ４Ｓを下降させることにより入金口４Ｆを閉塞する。
【００２０】
入金部４におけるシャッタ４Ｓの後方近傍、すなわち入金読取時搬送方向の下流側近傍には、シャッタ部残留センサ１１が配置されている。シャッタ部残留センサ１１は、例えば光を発光する発光素子とこの光を受光する受光素子とが搬送経路を挟んで対向するように配置されており、該搬送経路を搬送される小切手束ＣＫＢにより光が遮光されたか否かを検知し、その検知結果を制御部３へ送出する。制御部３は、シャッタ部残留センサ１１から供給された検知結果及びその時間的な変化等を基に、小切手束ＣＫＢが入金口４Ｆ近傍に残留しているか否かを認識する。
【００２１】
入金部４は、利用者から入金された小切手束ＣＫＢ及び利用者へ受け渡す小切手束ＣＫＢを収容し搬送する束搬送部１０を内部に有している。束搬送部１０は、上下一対の上側搬送ベルト１０Ｕ及び下側搬送ベルト１０Ｄを有しており、図示しない束搬送部回転モータにより回転駆動される。上側搬送ベルト１０Ｕは、前端近傍、中央部及び後端近傍にそれぞれ配置されたローラの周囲に掛け回されシャッタ４Ｓから分離部１５まで延びる無端ベルトであり、このローラが回転することにより、その下面を水平方向に沿った前後方向に沿って走行させる。説明の都合上、以下では、上側搬送ベルト１０Ｕにおける下面部分の走行方向を、該上側搬送ベルト１０Ｕの走行方向と見なす。下側搬送ベルト１０Ｄは、上側搬送ベルト１０Ｕと同様の無端ベルトであり、シャッタ４Ｓから分離部１５まで延び、その上面を上側搬送ベルト１０Ｕの下面と対向させている。また下側搬送ベルト１０Ｄは、図示しない束搬送部昇降モータの駆動力により把持ポジションと載置ポジションとの間で上下動する。以下では、下側搬送ベルト１０Ｄにおける上面部分の走行方向を、該下側搬送ベルト１０Ｄの走行方向と見なす。束搬送部１０には、上側搬送ベルト１０Ｕと下側搬送ベルト１０Ｄとにより上下方向から挟まれ小切手束ＣＫＢの長手方向を進行方向として、主に前後方向（水平方向）に沿って搬送させるような直線状の搬送路が形成されている。
【００２２】
この束搬送部１０は、入金処理及び返却処理において下側搬送ベルト１０Ｄの上面を入金口４Ｆにおける入金口下側ガイドの上端面よりも下側に位置させることにより載置ポジションとし、該下側搬送ベルト１０Ｄに小切手束ＣＫＢが引っ掛からないよう、上側搬送ベルト１０Ｕと下側搬送ベルト１０Ｄとの間に小切手束ＣＫＢを取り込む。また束搬送部１０は、下側搬送ベルト１０Ｄを載置ポジションから上昇させることにより把持ポジションとし、小切手束ＣＫＢを上側搬送ベルト１０Ｕと下側搬送ベルト１０Ｄとで上下方向から把持し、上側搬送ベルト１０Ｕ及び下側搬送ベルト１０Ｄを回転させることにより、小切手束ＣＫＢを前後方向に沿って搬送する。以下では、入金読取処理等における、左側面視における上側搬送ベルト１０Ｕの時計回りの回転方向及び下側搬送ベルト１０Ｄの反時計回りの回転方向を取込回転方向とも呼び、返却処理等における、左側面視における上側搬送ベルト１０Ｕの反時計回りの回転方向及び下側搬送ベルト１０Ｄの時計回りの回転方向を排出回転方向とも呼ぶ。
【００２３】
入金部４におけるシャッタ部残留センサ１１の後方、すなわち入金読取時搬送方向の下流側近傍には、金属検知センサ１２が配置されている。金属検知センサ１２は、金属の有無を検知し、その検知結果を制御部３へ送出する。制御部３は、金属検知センサ１２から供給された検知結果を基に、小切手束ＣＫＢにコインが載っていたりホチキス等の金属が付着していたりしている否かを認識する。
【００２４】
入金部４における金属検知センサ１２の後方、すなわち入金読取時搬送方向の下流側近傍には、挿入検知センサ１３が配置されている。挿入検知センサ１３は、シャッタ部残留センサ１１と同様に構成されており、小切手束ＣＫＢの搬送状態を検知して、その検知結果を制御部３へ送出する。制御部３は、挿入検知センサ１３から供給された検知結果を基に、小切手束ＣＫＢの挿入状態を確認し、束搬送部１０が把持可能な位置まで小切手束ＣＫＢが挿入されたか否かを認識する。
【００２５】
入金部４における束搬送部１０の後方には、ピッカプレス１６が配置されている。ピッカプレス１６は、図示しないピッカプレスモータにより図３（Ａ）に示す分離ポジションと図１に示すホームポジションとの間で上下動し、入金部４から小切手ＣＫを１枚ずつ分離してアライナ部５へ繰り出す分離動作においては、分離ポジションとなり小切手束ＣＫＢをピッカローラ１９に押し付ける。一方ピッカプレス１６は、束搬送部１０からピッカプレス１６へ小切手束ＣＫＢを搬送する入金束搬送動作と、ピッカプレス１６から束搬送部１０へ小切手束ＣＫＢを搬送する返却束搬送動作と、アライナ部５から入金部４へ小切手ＣＫを搬送して集積させる集積動作とにおいては、分離ポジションからホームポジションへ下方向に移動することにより、その上面を、把持ポジションの下側搬送ベルト１０Ｄの上面よりも下側に位置させ、小切手ＣＫの搬送経路から退避し、小切手ＣＫが引っ掛からないようにする。
【００２６】
また、入金部４の搬送経路には、図２に示すように該搬送経路の右端において該搬送経路に沿う図示しないガイドにより、小切手ＣＫの幅方向の一端（右端）の基準位置となる基準面２７が形成されている。この基準面２７は、アライナ部５の搬送経路の右端に形成されている幅寄せ基準面２７と同一面である為、以下、同様に幅寄せ基準面２７とする。
【００２７】
入金部４における後端で且つピッカプレス１６の後上方であり束搬送部１０に対する入金読取時搬送方向の下流側には、分離部１５が設けられている。分離部１５は、図１に示すように、フィードローラ１７及びリバースローラ１８により、小切手束ＣＫＢから小切手ＣＫを１枚ずつ分離する分離ゲートを構成している。ピッカローラ１９は、小切手束ＣＫＢの最上部の１枚の小切手ＣＫに当接しつつ回転することにより、フィードローラ１７及びリバースローラ１８により構成された分離ゲートへ小切手ＣＫを送り込む。以下では、入金読取処理等における、左側面視におけるピッカローラ１９及びフィードローラ１７の時計回りの回転方向を取込回転方向とも呼び、返却処理等における、左側面視におけるピッカローラ１９及びフィードローラ１７の反時計回りの回転方向とリバースローラ１８の時計回りの回転方向を集積回転方向とも呼ぶ。
【００２８】
リバースローラ１８のシャフトであるリバースローラシャフトには、２個の部分舌片２３が間隔を空けて回転可能に固定されている。この部分舌片２３は、図４に示すように、リバースローラシャフトが挿通される円筒部２３Ａと、この円筒部２３Ａの外周から周方向に間隔を空けて放射状に延びる複数（例えば３本）の羽部２３Ｂとで構成されている。羽部２３Ｂは、円筒部２３Ａの外周の全周にわたって設けられているのではなく、全周の１／３程度の範囲内にのみ設けられている。つまり、部分舌片２３は、羽根車から部分的に羽部を取り除いた形状となっている。また、羽部２３Ｂは、それぞれ薄板状であり、且つ円筒部２３Ａの回転軸方向に対して所定の角度だけ傾いた状態で円筒部２３Ａに設けられている。部分舌片２３は、このような構成であり、例えば、弾性部材であるゴム又はエラストマーで形成されている。尚、円筒部２３Ａの回転軸方向は、分離部１５の搬送経路の搬送方向と直交する幅方向に平行な方向である。
【００２９】
この部分舌片２３は、図５に示す部分舌片モータ２４により駆動され、図１に示すホームポジションを基準とした部分舌片モータ２４の送り量が制御部３により監視されることにより回転位置が制御される。この部分舌片２３は、分離動作において図１に示すホームポジションとなり、分離される小切手ＣＫの搬送経路から羽部２３Ｂを退避させる。一方で部分舌片２３は、集積動作において図３（Ｂ）に示す集積ポジションとなり、集積動作時に入金部４にある未分離または集積済みの小切手束ＣＫＢの上に羽部２３Ｂを接触させると共に、小切手ＣＫが分離部１５を通過した後に集積回転方向に１回転することにより、アライナ部５から入金部４へ送り出された小切手ＣＫの後端部分を羽部２３Ｂにより下方向へ向けて叩き落とすようになっている。
【００３０】
また、部分舌片２３は、集積回転方向に回転して集積済みの小切手束ＣＫＢの一番上の小切手ＣＫに羽部２３Ｂが接触するときに、羽部２３Ｂの幅寄せ基準面２７側の一端側から先に接触するように羽部２３Ｂが回転軸方向に対して傾けられている。これにより、羽部２３Ｂは、１番上の小切手ＣＫに接触して撓んでいくときに、図６（Ａ）、（Ｂ）に示すように、幅寄せ基準面２７側にねじれるように変形する。このとき、羽部２３Ｂと接触している一番上の小切手ＣＫには、幅寄せ基準面２７側へ向う力がくわわり、幅寄せ基準面２７側に移動する。このように、部分舌片２３は、羽部２３Ｂと接触している一番上の小切手ＣＫを、幅寄せ基準面２７側に移動させる（つまり幅寄せする）機能も有している。
【００３１】
分離部１５は、制御部３の制御に基づいて動作する。すなわち分離部１５は、分離動作時、部分舌片２３をホームポジションとし、ピッカローラ１９及びフィードローラ１７を取込回転方向へ回転させることにより、ピッカプレス１６上の小切手束ＣＫＢから小切手ＣＫを１枚ずつに分離して後方へ送り出し、繰出取込口４Ｂから第１搬送路３７に受け渡す。また分離部１５は、集積動作時、部分舌片２３を集積ポジションとし、ピッカローラ１９、フィードローラ１７及びリバースローラ１８を集積回転方向へ回転させることにより小切手ＣＫを集積方向に搬送して分離部１５を通過させ、前記のように部分舌片２３を動作させることにより、第１搬送路３７から受け渡された小切手ＣＫを、未分離の小切手束ＣＫＢの上へ載置させる。さらに、分離部１５は、幅寄せ動作時、小切手束ＣＫＢの一番上の小切手ＣＫに羽部２３Ｂを接触させて、部分舌片２３を集積回転方向に回転させることで、一番上の小切手ＣＫを、幅寄せ基準面２７側に幅寄せする。
【００３２】
入金部４における束搬送部１０の後方、すなわち入金読取時搬送方向の下流側には、束搬送検知センサ１４が配置されている。束搬送検知センサ１４は、シャッタ部残留センサ１１と同様に構成されており、小切手束ＣＫＢの搬送状態を検知して、その検知結果を制御部３へ送出する。制御部３は、束搬送検知センサ１４から供給された検知結果を基に、小切手束ＣＫＢの搬送方向先端を監視し、束搬送検知センサ１４からの小切手ＣＫの送り量を監視することにより、分離部１５の分離動作に適した分離位置まで小切手束ＣＫＢが搬送されたか否かを認識する。
【００３３】
入金部４におけるフィードローラ１７及びリバースローラ１８の後方、すなわち入金読取時搬送方向の下流側には、分離部残留センサ３４が配置されている。分離部残留センサ３４は、図２に示すように、分離部１５内の搬送経路上に、幅方向（すなわち搬送方向と直交する左右方向）に間隔を空けて複数個配置されている。具体的には、幅寄せ基準面２７側に１個と反対側に１個の計２個配置されている。ここで、幅寄せ基準面２７に近い方の分離部残留センサ３４を分離部残留センサ３４Ｒとし、幅寄せ基準面２７から遠い方の分離部残留センサ３４を分離部残留センサ３４Ｌとする。
【００３４】
分離部残留センサ３４Ｒ、３４Ｌは、それぞれシャッタ部残留センサ１１と同様に構成されている。幅寄せ基準面２７に近い方の分離部残留センサ３４Ｒの位置は、アライナ部５の幅寄せ能力に応じて決められている。アライナ部５で小切手ＣＫを幅寄せ基準面２７に幅寄せする為には、小切手ＣＫがアライナ部５に到達する前の時点で、小切手ＣＫの幅寄せ基準面２７側の端（すなわち右端）が、幅寄せ基準面２７から所定距離だけ離れた幅寄せ限界線Ｌｍより幅寄せ基準面２７側を通らなくてはならない。つまり、小切手ＣＫの右端が、幅寄せ基準面２７と幅寄せ限界線Ｌｍとの間の範囲（これを幅寄せ可能範囲と呼ぶ）Ａｒ内を通らなくてはならない。
【００３５】
ここで、例えば、大サイズの小切手ＣＫについては、折れたり破れたりしていなければ、必ず右端が幅寄せ可能範囲Ａｒ内を通るようになっている。一方で、小サイズの小切手ＣＫについては、例えば、幅方向の長さが大サイズの小切手ＣＫより短い為、全体が幅寄せ可能範囲外を通る場合が有り得る。
【００３６】
分離部残留センサ３４Ｒは、幅寄せ可能範囲内の幅寄せ限界線Ｌｍ近傍に配置されている。よって、分離部１５により分離された小切手ＣＫが、この分離部残留センサ３４Ｒで検出できれば、その小切手ＣＫは下流のアライナ部５で幅寄せ可能な小切手ＣＫと言える。
【００３７】
一方、幅寄せ基準面２７から遠い方の分離部残留センサ３４Ｌは、全体が幅寄せ可能範囲外を通る小サイズの小切手ＣＫを検出可能な位置に配置されている。よって、分離部１５により分離された小切手ＣＫが、分離部残留センサ３４Ｒでは検出されず、分離部残留センサ３４Ｌで検出された場合、その小切手ＣＫは下流のアライナ部５で幅寄せ不可能な小切手ＣＫと言える。尚、分離部残留センサ３４Ｌについては、１個ではなく、搬送経路の幅方向に複数個配置するようにしてもよい。
【００３８】
分離部残留センサ３４Ｒ、３４Ｌは、それぞれ小切手ＣＫの搬送状態を検出して、その検出結果を制御部３へ送出する。制御部３は、分離部残留センサ３４Ｒ、３４Ｌから供給された検出結果を基に、小切手ＣＫが分離部１５内に残留しているか否か、及びアライナ部５で幅寄せ可能であるか否かを認識する。
【００３９】
第１搬送路３７は、分離部１５の繰出取込口４Ｂと接続され、筐体２内における上部を前後方向に沿って後方へ向かって進行し、筐体２内の後部において屈曲して下方へ向かってスキャナ部６の後方まで進行し、第１切替部４４と接続されている。
【００４０】
アライナ部５は、筐体２内における後上部であり且つ入金部４の後方、すなわち入金部４の分離部１５に対し入金読取時搬送方向の下流側に位置している。アライナ部５は、分離部１５の繰出取込口４Ｂと第１切替部４４との間を結ぶような、第１搬送路３７の一部である搬送経路が形成されており、この搬送経路に沿って前側から順に、搬送ローラ２８、複数個のテーパローラ２６及び駆動ローラ２９並びに搬送ローラ３０が配置されている。またこの搬送経路には、図２に示すように該搬送経路の右端において該搬送経路に沿う図示しないガイドにより、幅寄せ基準面２７が形成されている。
【００４１】
搬送ローラ２８は、アライナ部５における分離部１５側において第１搬送路３７を挟んで対向して配置された一対のローラにより構成されており、図示しないアライナモータで駆動されることにより、分離部１５から繰り出された小切手ＣＫを引き抜きアライナ部５内へ搬送すると共に、アライナ部５内から分離部１５へ小切手ＣＫを搬送する。以下では、入金読取処理等において入金読取時搬送方向へ小切手ＣＫを搬送させる搬送ローラ２８、テーパローラ２６、駆動ローラ２９及び搬送ローラ３０の回転方向を取込回転方向とも呼び、返却処理等において返却時搬送方向へ小切手ＣＫを搬送させる搬送ローラ２８、テーパローラ２６、駆動ローラ２９及び搬送ローラ３０の回転方向を戻し回転方向とも呼ぶ。
【００４２】
テーパローラ２６は、ゴム等の弾性部材で形成され、図７に示すように円錐台形状であり、搬送幅方向（左右方向）に沿って幅寄せ基準面２７に向かうに連れて回転軸に対し周側面が半径方向の外側に向かって広がるよう傾斜する傾斜面が形成されている。またテーパローラ２６は、第１搬送路３７に沿って複数個配置されており、それぞれが搬送経路を挟んでアライナモータにより駆動される駆動ローラ２９と対向している。このテーパローラ２６は、小切手ＣＫに当接しつつ駆動ローラ２９に連れて回転することにより、小切手ＣＫを右側、すなわち幅寄せ基準面２７側に向かって搬送幅方向に移動させ、小切手ＣＫの幅寄せを行う。
【００４３】
搬送ローラ３０は、アライナ部５における第１切替部４４側において第１搬送路３７を挟んで対向して配置された一対のローラにより構成されており、図示しないアライナモータで駆動されることにより、アライナ部５内から第１切替部４４へ小切手ＣＫを搬送すると共に、第１切替部４４から繰り出された小切手ＣＫをアライナ部５内へ搬送する。
【００４４】
アライナ部５における搬送ローラ２８の後方近傍、すなわち入金読取時搬送方向の下流側近傍には、第１センサ３２が配置されている。第１センサ３２は、シャッタ部残留センサ１１と同様に構成されており、小切手ＣＫの搬送状態を検知して、その検知結果を制御部３へ送出する。制御部３は、第１センサ３２から供給された検知結果を基に、小切手ＣＫがアライナ部５に搬送されてきたこと等を検出する。
【００４５】
アライナ部５における第１センサ３２の後方、すなわち入金読取時搬送方向の下流側近傍には、二重検知センサ３３が配置されている。二重検知センサ３３は、超音波発信センサと受信センサのペアになっており、小切手ＣＫが分離部１５で小切手束ＣＫＢが１枚ずつの小切手ＣＫに分離されて搬送されてきていることを確認して、その確認結果を制御部３へ送出する。制御部３は、二重検知センサ３３から供給された確認結果を基に、小切手ＣＫが重送して搬送されているか否かを認識する。
【００４６】
アライナ部５における搬送ローラ３０の上方近傍、すなわち入金読取時搬送方向の上流側近傍には、アライナ完了検知センサ３５が配置されている。アライナ完了検知センサ３５は、シャッタ部残留センサ１１と同様に構成されており、小切手ＣＫの搬送状態を検知して、その検知結果を制御部３へ送出する。制御部３は、アライナ完了検知センサ３５から供給された検知結果を基に、幅寄せ基準面２７側に小切手ＣＫが幅寄せされていることを検出する。
【００４７】
第１切替部４４は、中心に位置するブレード４８と、該ブレード４８の周囲に位置するローラ（図示せず）とにより構成されている。ブレード４８は、小切手ＣＫの搬送方向を２通りに切り替える。具体的に第１切替部４４は、上側のアライナ部５と前側のスキャナ部６とを結び第１搬送路３７と第２搬送路３８との間で小切手ＣＫを搬送させる搬送経路を形成するか、下側の後中搬送部６７と前側のスキャナ部６とを結び第３搬送路３９と第２搬送路３８との間で小切手ＣＫを搬送させる搬送経路を形成するかを切り替える。
【００４８】
第２搬送路３８は、第１切替部４４と接続され、スキャナ部６内を前後方向に沿って前方へ向かって進行し、スキャナ部６の前方において屈曲して下方へ向かってスキャナ部６と一時保留部７と取忘れ回収部８との間まで進行し、第２切替部４５と接続されている。
【００４９】
スキャナ部６は、筐体２における後側であり且つアライナ部５の下方、すなわちアライナ部５に対し入金読取時搬送方向の下流側に位置している。また第１搬送路３７と第２搬送路３８とは側面視で英大文字の「Ｃ」のような形状、或いは英大文字の「Ｕ」の上側を前方へ向けて回転させたような形状にレイアウトされており、入金部４から入金された小切手ＣＫは、入金部４及びアライナ部５を後方へ向かって搬送され、アライナ部５及び第１切替部４４を通過して、搬送方向が反転し前方へ向かって搬送され、スキャナ部６の後受渡口６Ｂに到達する。このため、それぞれ小切手表面が上方向を、小切手裏面が下方向を向いた状態で入金部４に挿入された小切手束ＣＫＢの小切手ＣＫは、表裏反転し、それぞれ小切手表面が下方向を、小切手裏面が上方向を向いた状態でスキャナ部６の後受渡口６Ｂに到達する。
【００５０】
スキャナ部６は、内部に複数種類のセンサが組み込まれており、搬送される小切手ＣＫの画像及び磁気情報を読み取りその読み取り結果を制御部３へ送出すると共に、小切手ＣＫに対し利用済みであることを表す裏書印字及びスタンプ押印等を行う。
【００５１】
具体的にスキャナ部６内には、後側の後受渡口６Ｂと前側の前受渡口６Ｆとの間を前後方向に沿って直線状に結ぶような、第２搬送路３８の一部である搬送経路が形成されており、この搬送経路に沿って後側から順に、小切手ＣＫの磁気文字ＭＩＣＲを磁化させる永久磁石（図示せず）、磁気文字読取部トリガセンサ５７、磁気文字読取部ヘッド５２、画像読取部５３、取引情報印字部６６及び印字トリガセンサ５８が配置されている。またスキャナ部６内には、これらの各部の間に、図示しないスキャナ部モータにより駆動される搬送ローラ５６が配置されている。以下では、入金読取処理等において入金読取時搬送方向へ小切手ＣＫを搬送させる搬送ローラ５６の回転方向を取込回転方向とも呼び、返却処理等において返却時搬送方向へ小切手ＣＫを搬送させる搬送ローラ５６の回転方向を返却回転方向とも呼ぶ。
【００５２】
磁気文字読取部トリガセンサ５７は、スキャナ部６における後受渡口６Ｂの最近傍の搬送ローラ５６の前方近傍、すなわち入金読取時搬送方向の下流側近傍に配置されている。磁気文字読取部トリガセンサ５７は、シャッタ部残留センサ１１と同様に構成されており、小切手ＣＫの搬送状態を検知して、その検知結果を制御部３へ送出する。制御部３は、磁気文字読取部トリガセンサ５７から供給された検知結果を基に、後受渡口６Ｂを介してスキャナ部６に小切手ＣＫが搬送されたか否かを認識する。
【００５３】
磁気文字読取部ヘッド５２は、磁気センサでなり、搬送経路上を搬送される小切手ＣＫの磁気を検知し、その検知結果を制御部３へ送出する。制御部３は、磁気文字読取部ヘッド５２から供給された検知結果を基に、永久磁石により磁化された小切手ＣＫの磁気文字ＭＩＣＲを読み取り、小切手ＣＫが真正なもの（いわゆる真券）又は偽造されたもの（いわゆる偽券）の何れであるかを判断する。
【００５４】
画像読取部５３は、搬送経路を挟んで対向する例えばコンタクトイメージセンサ（ＣＩＳ：Contact Image Sensor）の撮像素子である裏面画像読取部５３Ｒ及び表面画像読取部５３Ｓを有している。裏面画像読取部５３Ｒは、搬送経路の上側に配置されており、搬送経路を搬送される小切手ＣＫの小切手裏面を撮像して画像データを生成し、制御部３へ送出する。表面画像読取部５３Ｓは、搬送経路の下側に配置されており、搬送経路を搬送される小切手ＣＫの小切手表面を撮像して画像データを生成し、制御部３へ送出する。このように画像読取部５３は、小切手ＣＫの両面をそれぞれ撮像して画像データを生成し、これらを制御部３へ送出する。
【００５５】
取引情報印字部６６は、スタンプ５４及びプリンタ５５により構成されており、小切手ＣＫに利用済みであることを示す取引情報を印字する。スタンプ５４は、搬送経路の下側に配置されており、利用済みであることを表す取引情報を示すスタンプを小切手表面に押印する（以下ではこれをスタンプ押印とも呼ぶ）。プリンタ５５は、例えばインクジェットプリンタであり、搬送経路の上側に配置されており、利用済みであることを表す取引情報を小切手裏面に印字する（以下ではこれを裏書印字とも呼ぶ）。
【００５６】
印字トリガセンサ５８は、スキャナ部６における前受渡口６Ｆの最近傍の搬送ローラ５６の後方近傍、すなわち入金読取時搬送方向の上流側近傍に配置されている。印字トリガセンサ５８は、磁気文字読取部トリガセンサ５７と同様に構成されており、小切手ＣＫの搬送状態を検知して、その検知結果を制御部３へ送出する。制御部３は、印字トリガセンサ５８から供給された検知結果を基に、前受渡口６Ｆを介してスキャナ部６に小切手ＣＫが搬送されたか否かを認識し、裏書印字及びスタンプ押印の制御を行う。
【００５７】
一時保留部搬送路４０は、第２切替部４５と接続され、前方へ向かって進行し、一時保留部７と接続されている。取忘れ回収部搬送路４１は、第２切替部４５と接続され後方へ向かって進行し、取忘れ回収部８と接続されている。
【００５８】
第２切替部４５は、中心に位置するブレード４９と、該ブレード４９の周囲に位置するローラ（図示せず）とにより構成されている。ブレード４９は、小切手ＣＫの搬送方向を２通りに切り替える。具体的に第２切替部４５は、上側のスキャナ部６と後側の取忘れ回収部８とを結び第２搬送路３８から取忘れ回収部搬送路４１へ小切手ＣＫを搬送させる搬送経路を形成するか、上側のスキャナ部６と前側の一時保留部７とを結び第２搬送路３８と一時保留部搬送路４０との間で小切手ＣＫを搬送させる搬送経路を形成するかを切り替える。
【００５９】
一時保留部７は、筐体２内における前側であり且つ入金部４の下方、すなわちスキャナ部６に対し入金読取時搬送方向の下流側に位置しており、後方上側に形成された受渡口（図示せず）と内部との間で小切手ＣＫを双方向へ搬送する。一時保留部７は、いわゆるテープエスクロ方式を採用しており、図示しない一時保留部モータにより駆動される円筒状のドラムの周側面に複数枚の小切手ＣＫをテープと共に巻き付けることで該小切手ＣＫを収納し、またこの周側面から該テープを引き剥がすことで小切手ＣＫを繰り出す。
【００６０】
また一時保留部搬送路４０における一時保留部７の受渡口の近傍には、一時保留部受渡センサ６０が配置されている。一時保留部受渡センサ６０は、シャッタ部残留センサ１１と同様に構成されており、小切手ＣＫの搬送状態を検知して、その検知結果を制御部３へ送出する。制御部３は、一時保留部受渡センサ６０から供給された検知結果を基に、小切手ＣＫが一時保留部７の受渡口に位置しているか否かを認識する。
【００６１】
一時保留部７は、内部に一時保留部残留センサ６１が配置されている。一時保留部残留センサ６１は、シャッタ部残留センサ１１と同様に構成されており、小切手ＣＫの搬送状態を検知して、その検知結果を制御部３へ送出する。制御部３は、一時保留部残留センサ６１から供給された検知結果を基に、小切手ＣＫが一時保留部７内に残留しているか否かを認識する。
【００６２】
一時保留部７で一旦保留された小切手ＣＫは、その後の入金収納処理及び返却処理においては搬送方向が反転されてスキャナ部６に搬送される。このためスキャナ部６は、入金読取処理においては一時保留部７に対する小切手ＣＫの搬送方向の上流側に位置するものの、入金収納処理及び返却処理においては一時保留部７に対する小切手ＣＫの搬送方向の下流側に位置することとなる。以下では入金収納処理における小切手ＣＫの搬送方向を入金収納時搬送方向とも呼び、返却処理における小切手ＣＫ及び小切手束ＣＫＢの搬送方向を返却時搬送方向とも呼ぶ。第２搬送路３８及び一時保留部搬送路４０においては、入金読取時搬送方向と入金収納時搬送方向とは逆方向となっている。また入金部４、第１搬送路３７、第２搬送路３８及び一時保留部搬送路４０においては、入金読取時搬送方向と返却時搬送方向とは逆方向となっている。
【００６３】
取忘れ回収部８は、筐体２内における後側でありスキャナ部６の下方且つ一時保留部７の後方、すなわちスキャナ部６に対し入金読取時搬送方向の下流側に位置しており、前後方向に長い直方体状に形成されると共に内部に小切手ＣＫを集積して収納する空間を有している。換言すれば取忘れ回収部８は、スキャナ部６を挟んでアライナ部５の反対側である下側に設けられ、第２搬送路３８においてスキャナ部６を挟んでアライナ部５に対し小切手ＣＫの搬送方向の逆側に設けられ小切手ＣＫの搬送経路を切り替える第２切替部４５を介して第２搬送路３８と接続されている。因みに取忘れ回収部８は、上下方向の長さが小切手収納庫９の半分程度となっている。この取忘れ回収部８は、返却処理において利用者に返却しようとした小切手ＣＫを利用者が入金部４から取り忘れた場合に、該小切手ＣＫが取忘れ回収部搬送路４１により搬送されて来ると、該小切手ＣＫを内部に回収して収納する。
【００６４】
また取忘れ回収部搬送路４１における取忘れ回収部８の受渡口の近傍には、取忘回収部受渡センサ６４が配置されている。取忘回収部受渡センサ６４は、シャッタ部残留センサ１１と同様に構成されており、小切手ＣＫの搬送状態を検知して、その検知結果を制御部３へ送出する。制御部３は、取忘回収部受渡センサ６４から供給された検知結果を基に、小切手ＣＫが取忘れ回収部８の受渡口に位置しているか否かを認識する。
【００６５】
後中搬送部６７は、第３搬送路３９を形成している。この第３搬送路３９は、第１切替部４４と接続され、筐体２内における後部であり取忘れ回収部８の後方を上下方向に沿って下方へ向かって取忘れ回収部８の下方まで進行し、第３切替部４６と接続されている。
【００６６】
第３切替部４６は、中心に位置するブレード５０と、該ブレード５０の周囲に位置するローラ（図示せず）とにより構成されている。ブレード５０は、小切手ＣＫの搬送方向を２通りに切り替える。具体的に第３切替部４６は、後中搬送部６７と下側の後下搬送部６８とを結び第３搬送路３９から小切手収納庫第１搬送路４２Ａへ小切手ＣＫを搬送させる搬送経路を形成するか、後中搬送部６７と前側の下搬送部６９とを結び第３搬送路３９から小切手収納庫第２搬送路４２Ｂへ小切手ＣＫを搬送させる搬送経路を形成するかを切り替える。
【００６７】
後下搬送部６８は、小切手収納庫第１搬送路４２Ａを形成している。この小切手収納庫第１搬送路４２Ａは、第３切替部４６と接続され、下方へ向かって進行し、小切手収納庫９Ａと接続されている。下搬送部６９は、小切手収納庫第２搬送路４２Ｂを形成している。この小切手収納庫第２搬送路４２Ｂは、第３切替部４６と接続され、小切手収納庫９Ａの上方を前後方向に沿って前方へ向かって進行し、小切手収納庫９Ｂと接続されている。
【００６８】
媒体収納庫としての小切手収納庫９（９Ａ及び９Ｂ）は、筐体２内における最も下側であり取忘れ回収部８及び一時保留部７の下方、すなわちスキャナ部６に対し入金収納時搬送方向の下流側に前後方向に並んで位置している。換言すれば小切手収納庫９は、スキャナ部６及び取忘れ回収部８を挟んでアライナ部５の反対側である下側に設けられている。小切手収納庫９Ａ及び９Ｂは、何れも同様に構成されており、直方体状に形成されると共に内部に小切手ＣＫを集積して収納する空間を有している。因みに小切手収納庫９は、上下方向の長さが筐体２の３分の１程度となっている。この小切手収納庫９は、スキャナ部６により利用可能であると判断され該スキャナ部６の取引情報印字部６６により取引情報が印字された小切手ＣＫが小切手収納庫第１搬送路４２Ａ又は小切手収納庫第２搬送路４２Ｂにより搬送されて来ると、該小切手ＣＫを内部に収納する。
【００６９】
［１−２．分離部の構成］
図５、図８及び図９に示すように、分離部１５は、リバースローラ１８、フィードローラ１７及びピッカローラ１９が、分離部モータ２０から伝達された駆動力により回転する。なお図８及び図９においては、右側面視の回転方向を記載する。このフィードローラ１７とリバースローラ１８とは、分離ゲートを構成し、分離部モータ２０により、アライナ部５方向へ小切手ＣＫを小切手束ＣＫＢから１枚ずつ分離して繰り出す。
【００７０】
リバースローラ１８は、左右方向に延びるリバースローラシャフト１８Ｓのほぼ中央部に固定されている。このリバースローラシャフト１８Ｓの右端部には右側リバースローラギア１８ＧＲと左側リバースローラギア１８ＧＬとが取り付けられている。右側リバースローラギア１８ＧＲにはワンウェイクラッチが装着されており、反時計回りへ回転させる駆動力が該右側リバースローラギア１８ＧＲに伝達した際にのみリバースローラシャフト１８Ｓへ反時計回りの回転力を伝達することにより、該リバースローラシャフト１８Ｓを反時計回りへ回転させる。また左側リバースローラギア１８ＧＬにはワンウェイクラッチが装着されており、反時計回りへ回転させる駆動力が該左側リバースローラギア１８ＧＬに伝達した際にのみリバースローラシャフト１８Ｓへ反時計回りの回転力を伝達することにより、該リバースローラシャフト１８Ｓを反時計回りへ回転させる。
【００７１】
さらにリバースローラシャフト１８Ｓにおけるリバースローラ１８の左右両側には、部分舌片２３が固定されている。この部分舌片２３は、部分舌片モータ２４により回転され、部分舌片ホームポジションセンサ２５により回転位置が検出される。部分舌片２３は、上述したように、円筒部２３Ａの外周面の一部分に複数本の羽部２３Ｂが設けられた構成となっている。この部分舌片２３は、分離部１５から束搬送部１０へ放出された小切手ＣＫに羽部２３Ｂを接触させて摩擦負荷を与えて減速させ、リバースローラ１８とは独立して反時計回りに回転することにより、小切手ＣＫの後端部分を下方向へ向けて叩き落とす。
【００７２】
フィードローラ１７は、左右方向に延びるフィードローラシャフト１７Ｓのほぼ中央部においてリバースローラ１８と対向する位置に固定されている。このフィードローラシャフト１７Ｓの右端部にはフィードローラギア１７Ｇが取り付けられている。フィードローラギア１７Ｇは、外側ギア１７Ｇｏと、該外側ギア１７Ｇｏよりも外径が小さく該外側ギア１７Ｇｏの左側に位置する内側ギア１７Ｇｉとが一体化した２段ギアであり、外側ギア１７Ｇｏは右側リバースローラギア１８ＧＲと、内側ギア１７Ｇｉは２段アイドルギア２１ＧＬにおいて外径が大きい右側の外側ギア２１ＧＬｏとそれぞれ噛み合っている。またフィードローラギア１７Ｇは、ワンウェイクラッチが装着されており、反時計回りへ回転させる駆動力が該フィードローラギア１７Ｇに伝達した際にのみフィードローラシャフト１７Ｓへ反時計回りへの回転力を伝達することにより、該フィードローラシャフト１７Ｓを反時計回りへ回転させる。またフィードローラ１７は、フィードローラギア１７Ｇに装着されたワンウェイクラッチにより、第１搬送路３７に引き抜かれる小切手ＣＫに伴って取込回転方向に空転することで、引き抜き負荷を軽減する。
【００７３】
ピッカローラ１９は、左右方向に延びるピッカローラシャフト１９Ｓのほぼ中央部においてフィードローラ１７と対向する位置に固定されている。このピッカローラシャフト１９Ｓの右端部にはピッカローラギア１９Ｇがピッカローラシャフト１９Sと一緒に回転するように固定されている。ピッカローラ１９にはワンウェイクラッチが装着されており、反時計回りへ回転させる駆動力がピッカローラシャフト１９Ｓへ伝達した際にのみ該ピッカローラ１９に反時計回りの回転力を伝達することにより、該ピッカローラシャフト１９Ｓを反時計回りへ回転させる。
【００７４】
フィードローラギア１７Ｇの外側ギア１７Ｇｏとピッカローラギア１９Ｇとの間には該外側ギア１７Ｇｏと該ピッカローラギア１９Ｇと噛み合うアイドルギア２１ＧＲが設けられている。フィードローラギア１７Ｇの内側ギア１７Ｇｉと左側リバースローラギア１８ＧＬとの間には該内側ギア１７Ｇｉと該左側リバースローラギア１８ＧＬと噛み合う２段アイドルギア２１ＧＬが設けられている。また２段アイドルギア２１ＧＬにおける右側の大きな外側ギア２１ＧＬｏとフィードローラギア１７Ｇの内側ギア１７Ｇｉとが噛み合い、２段アイドルギア２１ＧＬにおける左側の小さな内側ギア２１ＧＬｉとリバースローラギア１８Ｇの外側ギア１７Ｇｏとが噛み合う。
【００７５】
図８に示すように分離動作においては、分離部モータ２０が出力軸を反時計回りに回転させ、右側リバースローラギア１８ＧＲを時計回りに回転させる。このとき、ワンウェイクラッチにより右側リバースローラギア１８ＧＲはリバースローラシャフト１８Ｓへは駆動力を伝達しないため、リバースローラ１８へは駆動力は伝達されない。また右側リバースローラギア１８ＧＲは、フィードローラギア１７Ｇの外側ギア１７Ｇｏに駆動力を伝達させることによりフィードローラギア１７Ｇを反時計回りに回転させる。この駆動力はアイドルギア２１ＧＲを介してピッカローラギア１９Ｇに伝達され、ピッカローラ１９は反時計回りに回転する。フィードローラギア１７Ｇは、右側リバースローラギア１８ＧＲ及び外側ギア１７Ｇｏを介し伝達された駆動力を、内側ギア１７Ｇｉ、外側ギア２１ＧＬｏ及び内側ギア２１ＧＬｉを順次介して左側リバースローラギア１８ＧＬに伝達する。これにより左側リバースローラギア１８ＧＬは反時計回りに回転する。このとき、ワンウェイクラッチにより左側リバースローラギア１８ＧＬはリバースローラシャフト１８Ｓへ反時計回りの駆動力を伝達するため、リバースローラ１８は反時計回りに回転する。
【００７６】
一方、図９に示すように集積動作においては、分離部モータ２０が出力軸を時計回りに回転させ、右側リバースローラギア１８ＧＲを反時計回りに回転させる。このとき、ワンウェイクラッチにより右側リバースローラギア１８ＧＲはリバースローラシャフト１８Ｓへ反時計回りの駆動力を伝達するため、リバースローラ１８は反時計回りに回転する。また右側リバースローラギア１８ＧＲは、フィードローラギア１７Ｇに駆動力を伝達させることによりフィードローラギア１７Ｇを時計回りに回転させる。このとき、ワンウェイクラッチによりフィードローラギア１７Ｇはフィードローラシャフト１７Ｓへは駆動力を伝達しないため、フィードローラ１７へは駆動力は伝達されない。この駆動力はアイドルギア２１ＧＲを介してピッカローラギア１９Ｇに伝達され、ピッカローラシャフト１９Ｓは時計回りに回転する。このとき、ピッカローラ１９のワンウェイクラッチによりピッカローラ１９へは駆動力は伝達されない。フィードローラギア１７Ｇは、右側リバースローラギア１８ＧＲ及び外側ギア１７Ｇｏを介し伝達された駆動力を、内側ギア１７Ｇｉ、外側ギア２１ＧＬｏ及び内側ギア２１ＧＬｉを順次介して左側リバースローラギア１８ＧＬに伝達する。これにより左側リバースローラギア１８ＧＬは時計回りに回転する。このとき、ワンウェイクラッチにより左側リバースローラギア１８ＧＬは反時計回りのみ伝達するため、リバースローラ１８へは駆動力は伝達されない。
【００７７】
［１−３．入金処理及び返却処理］
次に、小切手処理機１における小切手ＣＫの入金処理及び返却処理について説明する。
【００７８】
［１−４．入金処理］
まず、利用者（顧客）が小切手処理機１へ小切手ＣＫを入金する入金処理を行う場合について説明する。入金処理において小切手処理機１は、制御部３の制御に基づき、入金された小切手ＣＫの磁気情報及び画像を読み取る入金読取処理を先に行い、利用された小切手ＣＫに取引情報の印字を行った後に適切な収納箇所へ搬送して収納する入金収納処理を次に行う。
【００７９】
［１−４−１．入金読取処理］
［１−４−１−１．挿入動作］
具体的に制御部３は、例えば利用者により操作表示部（図示せず）を介して入金処理を開始する旨の操作入力を受け付けると、入金読取処理を開始し、それぞれ束搬送部１０を載置ポジションに、ピッカプレス１６をホームポジションに、部分舌片２３をホームポジションにすることにより、小切手束ＣＫＢを受け入れる準備を行う。続いて制御部３は、入金部４のシャッタ４Ｓを上昇させることにより入金口４Ｆを開放させ、入金部４へ小切手束ＣＫＢを投入させる。
【００８０】
このとき制御部３は、シャッタ部残留センサ１１の検知結果が暗状態になっているにも関わらず挿入検知センサ１３の検知結果が明状態のまま、すなわちシャッタ部残留センサ１１により小切手束ＣＫＢを検出しているにも関わらず挿入検知センサ１３により小切手束ＣＫＢを検出していないまま設定時間が経過した場合、小切手束ＣＫＢを幅寄せ基準面２７側に寄せて奥まで挿入する旨を示すガイダンス画面を操作表示部に表示することにより、より一層奥まで小切手束ＣＫＢを挿入させることを利用者に提示する。利用者により挿入された小切手束ＣＫＢの搬送方向先端を挿入検知センサ１３により検出すると、制御部３は、束搬送部１０を把持ポジションにすることにより小切手束ＣＫＢを把持させると共に取込回転方向へ回転させ該小切手束ＣＫＢを後方へ搬送させる。
【００８１】
［１−４−１−２．入金束搬送動作］
このとき制御部３は、束搬送検知センサ１４により小切手束ＣＫＢの搬送方向先端を監視し、該束搬送検知センサ１４により小切手束ＣＫＢの搬送方向先端を検出してから該小切手束ＣＫＢの送り量を監視することにより、分離部１５での分離動作に適した分離位置まで小切手束ＣＫＢを搬送させる。
【００８２】
［１−４−１−３．分離動作］
次に制御部３は、操作表示部を介して小切手束ＣＫＢの取り込みを開始する操作入力を受け付けると、入金部４のシャッタ４Ｓを下降させることにより入金口４Ｆを閉塞させる。続いて制御部３は、ピッカプレス１６を上昇させ分離ポジションとすると共に束搬送部１０を載置ポジションとし、分離部１５を分離モードで動作させることにより、該分離部１５の小切手束ＣＫＢを１枚ずつに分離して取り込み、下流に位置するアライナ部５の第１搬送路３７へ順次繰り出す。
【００８３】
このとき制御部３は、アライナモータを正転させることによりアライナ部５の搬送ローラ２８を取込回転方向へ回転させ、分離部１５から小切手ＣＫを引き抜く。ここでフィードローラ１７は、フィードローラギア１７Ｇに装着されたワンウェイクラッチにより、第１搬送路３７に引き抜かれる小切手ＣＫによって取込回転方向に空転することにより、引き抜き負荷を軽減する。またピッカローラ１９は、ボス部に装着されたワンウェイクラッチにより、第１搬送路３７に引き抜かれる小切手ＣＫによって取込回転方向に空転することにより、引き抜き負荷を軽減する。なお制御部３は、ピッカプレス１６を分離ポジションから下降させることにより、引き抜き負荷をさらに軽減させても良い。
【００８４】
制御部３は、第１センサ３２により小切手ＣＫがアライナ部５に搬送されてきたことを検知すると、分離部モータ２０を停止して、上述したワンウェイクラッチの作用により引き抜き負荷を軽減させて小切手ＣＫを分離部１５からアライナ部５へ引き渡す。
【００８５】
さらにこの分離動作中、制御部３は、分離部残留センサ３４Ｒ、３４Ｌを用いてアライナ部５へと繰り出される小切手ＣＫの幅方向の位置を監視し、小切手ＣＫの幅方向の位置がアライナ部５で幅寄せ可能な位置にない場合には、分離部１５側で小切手ＣＫをアライナ部５で幅寄せ可能な位置まで幅寄せしてからアライナ部５に繰り出すようになっている。
【００８６】
ここで、小切手ＣＫを幅寄せしてからアライナ部５に繰り出す動作（これを幅寄せ繰り出し動作と呼ぶ）について、図１０に示すフローチャートを用いて詳しく説明する。まず、制御部３は、ステップＳＰ１において、幅寄せ基準面２７に近い方の分離部残留センサ３４Ｒが小切手ＣＫを検出したかどうかを判定する。ここで、分離部残留センサ３４Ｒが小切手ＣＫを検出したとすると、このことは、小切手ＣＫの右端が幅寄せ可能範囲Ａｒ内を通っていること、すなわち、この小切手ＣＫをそのままアライナ部５へと繰り出せば、アライナ部５で幅寄せ基準面２７に幅寄せできることを意味する。このとき、制御部３は、ステップＳＰ１で肯定結果を得てステップＳＰ２に移り、そのまま小切手ＣＫを分離部１５からアライナ部５に繰り出す。
【００８７】
これに対して、分離部残留センサ３４Ｒが小切手ＣＫを検出しなかったとすると、このとき、制御部３は、ステップＳＰ１で否定結果を得て、ステップＳＰ３に移る。ステップＳＰ３において制御部３は、幅寄せ基準面２７から遠い方の分離部残留センサ３４Ｌが小切手ＣＫを検出したかどうかを判定する。ここで、分離部残留センサ３４Ｌが小切手ＣＫを検出したとすると、このことは、小切手ＣＫの全体が幅寄せ可能範囲Ａｒ外を通っていること、すなわち、この小切手ＣＫは幅寄せ基準面２７から離れすぎていてそのままアライナ部５へと繰り出しても、アライナ部５で幅寄せ基準面２７に幅寄せすることはできないことを意味する。このとき、制御部３は、ステップＳＰ３で肯定結果を得てステップＳＰ４に移る。
【００８８】
ステップＳＰ４において制御部３は、小切手ＣＫを一旦、小切手束ＣＫＢの上に戻して、部分舌片２３により幅寄せ基準面２７側に幅寄せする。すなわち、制御部３は、まず、分離部モータ２０およびアライナモータを停止させて、ピッカローラ１９及びフィードローラ１７を停止させる。次に制御部３は、ピッカプレス１６を下降させてホームポジションにすることにより、小切手ＣＫを小切手束ＣＫＢの上に戻す空間を確保する。このときまだ部分舌片２３は回転させない。
【００８９】
続いて制御部３は、分離部１５を集積モードで動作させることにより、小切手ＣＫを小切手束ＣＫＢの上へ戻す。このとき制御部３は、分離部残留センサ３４Ｒ、３４Ｌにより小切手ＣＫの戻り量を監視し、小切手ＣＫが小切手束ＣＫＢの整列面（すなわち前面）から離れすぎないように分離部モータ２０を減速させながら、小切手ＣＫを小切手束ＣＫＢの最上部に停止させる。ここで、小切手束ＣＫＢの最上部に位置する小切手ＣＫは、幅寄せ基準面２７から離れすぎている小切手ＣＫである。ゆえに、この小切手ＣＫを、部分舌片２３を用いて幅寄せ基準面２７側に幅寄せする。
【００９０】
すなわち、制御部３は、部分舌片２３を集積回転方向に回転させる。このとき、部分舌片２３は、上述したように、小切手束ＣＫＢの一番上の小切手ＣＫに羽部２３Ｂが接触して撓んでいくときに、幅寄せ基準面２７側にねじれるように変形することで、羽部２３Ｂと接触している一番上の小切手ＣＫを、幅寄せ基準面２７側に幅寄せする。このようにして、一番上の小切手ＣＫを幅寄せした後、制御部３は、部分舌片２３をさらに集積回転方向に回転させて羽部２３Ｂを分離部１５の搬送経路から退避させ、次のステップＳＰ５に移る。
【００９１】
ステップＳＰ５において制御部３は、再度、小切手束ＣＫＢから１番上の小切手ＣＫを分離して繰り出す動作を開始して、ステップＳＰ１に戻る。ここで、制御部３は、部分舌片２３により幅寄せされた小切手ＣＫが分離部残留センサ３４Ｒで検出されれば、そのままアライナ部５に繰り出し、まだ分離部残留センサ３４Ｒで検出されなければ、再度、この小切手ＣＫに対して部分舌片２３による幅寄せを行う。
【００９２】
また一方で、分離部残留センサ３４Ｒ、３４Ｌのどちらでも小切手ＣＫが検出されなかった場合、制御部３は、上述のステップＳＰ３で否定結果を得て、ステップＳＰ６に移る。ステップＳＰ６において制御部３は、小切手ＣＫが正常に分離できないと判断して小切手束ＣＫＢの返却などの処理を行う。以上が、幅寄せ繰り出し動作である。
【００９３】
尚、１枚の小切手ＣＫに対して予め設定された規定回数分、幅寄せを繰り返し実行しても分離部残留センサ３４Ｒがその小切手ＣＫを検出しない場合には、制御部３が、この小切手ＣＫに折れややぶれ等の異常があると判断して小切手束ＣＫＢを返却するようにしてもよい。このようにすれば、異常小切手ＣＫによるジャムなどのトラブルを回避することができる。
【００９４】
［１−４−１−４．金属検知リジェクト動作］
小切手束ＣＫＢが挿入され分離部１５まで搬送される間、制御部３は、金属検知センサ１２により、装置障害につながるコインやホチキス等の金属が小切手束ＣＫＢに混入しているか否かを検出する。シャッタ４Ｓが開放されてから挿入検知センサ１３が小切手束ＣＫＢを検出するまでの間に金属を検出した場合、制御部３は、挿入検知センサ１３が小切手束ＣＫＢを検出しても小切手束ＣＫＢの入金束搬送動作は行わず、小切手束ＣＫＢが利用者により入金部４から引き抜かれたか否かをシャッタ部残留センサ１１により監視する。また制御部３は、金属を検出した旨を示すガイダンス画面を操作表示部に表示することにより、金属が混入したことを利用者に提示すると共に、小切手束ＣＫＢが利用者により入金部４から引き抜かれたことをシャッタ部残留センサ１１により検出した場合、ガイダンス画面の表示を中止し、小切手束ＣＫＢの挿入監視を再開する。
【００９５】
［１−４−１−５．二重検知リトライ動作］
小切手ＣＫが分離部１５からアライナ部５へ搬送される際、制御部３は、二重検知センサ３３により、複数枚の小切手ＣＫ同士が重なって搬送される重送が発生しているか否か検出する。重送を検出した場合、制御部３は二重検知リトライ動作を行う。具体的に制御部３は、分離部モータ２０およびアライナモータを停止させる。これによりピッカローラ１９及びフィードローラ１７を停止させ、アライナ部５から入金部４へ小切手ＣＫを戻す戻し処理をまず行う。制御部３は、ピッカプレス１６を下降させてホームポジションにすることにより、小切手ＣＫを小切手束ＣＫＢの上に戻す空間を確保する。続いて制御部３は、搬送ローラ２８を戻し回転方向へ回転させると共に分離部１５を集積モードで動作させることにより、アライナ部５から小切手ＣＫを小切手束ＣＫＢの上へ戻す。このとき制御部３は、第１センサ３２及び分離部残留センサ３４により小切手ＣＫの位置を監視し、小切手ＣＫが分離位置に戻ったところで分離部モータ２０およびアライナモータを停止させることによりフィードローラ１７、リバースローラ１８及びピッカローラ１９を停止させる。
【００９６】
その後制御部３は、ピッカプレス１６を上昇させ分離ポジションとすると共に束搬送部１０を載置ポジションとし、アライナモータを取り込み方向に回転させ、分離部１５を分離モードで動作させることにより、該分離部１５の小切手束ＣＫＢを再び１枚ずつに分離して取り込み、アライナ部５の第１搬送路３７へ受け渡すリトライ処理を、正常に１枚ずつ繰り出せるまで所定回数だけ行う。
【００９７】
一方、二重検知センサ３３により重送が検出されなかった正常状態の場合、制御部３は、テーパローラ２６により幅寄せ基準面２７に小切手ＣＫを幅寄せさせつつ第１搬送路３７に沿って小切手ＣＫを搬送させる。このとき第１切替部４４は、アライナ部５とスキャナ部６とを結び第１搬送路３７と第２搬送路３８との間で小切手ＣＫを搬送させる搬送経路を形成しているため、小切手ＣＫは、第１搬送路３７から第１切替部４４を介し第２搬送路３８へ搬送される。
【００９８】
［１−４−１−６．アライナ不良リトライ動作］
小切手ＣＫがアライナ部５内を搬送されている際、制御部３は、アライナ完了検知センサ３５により、基準面２７側に小切手ＣＫが幅寄せされているか否かを検出する。このとき幅寄せが不十分であるアライナ不良が発生していることを検出した場合、制御部３は、アライナ不良リトライ動作を行う。具体的に制御部３は、アライナモータ及びスキャナ部モータを停止させることにより搬送ローラ２８、駆動ローラ２９及び搬送ローラ３０を停止させ、スキャナ部モータを停止させることにより搬送ローラ５６を停止させ、アライナ部５から入金部４へ向かって小切手ＣＫを戻す戻し処理をまず行う。制御部３は、アライナモータ及びスキャナ部モータを逆転させることにより駆動ローラ２９及びテーパローラ２６並びに搬送ローラ２８、３０及び５６を戻し回転方向へ回転させ、アライナモータの送り量を監視しつつ、予め設定された所定距離だけ第１搬送路３７に沿って小切手ＣＫを分離部１５に向かって搬送させた後、スキャナ部モータを停止させることにより搬送ローラ５６を停止させ、アライナモータを停止させることにより駆動ローラ２９及びテーパローラ２６並びに搬送ローラ２８、３０及び５６を停止させ、小切手ＣＫを停止させる。その後制御部３は、スキャナ部モータおよびアライナモータを正転させることにより駆動ローラ２９及びテーパローラ２６並びに搬送ローラ２８、３０及び５６を取込回転方向へ回転させ、小切手ＣＫを第１切替部４４に向かって再び搬送させるリトライ処理を、小切手ＣＫが幅寄せされるまで、所定回数だけ行う。
【００９９】
アライナ部５は、アライナ不良リトライ動作において戻し処理で小切手ＣＫを入金部４へ向かって搬送している際も、リトライ処理で小切手ＣＫを第１切替部４４へ向かって再度搬送している際も、テーパローラ２６により、小切手ＣＫを幅寄せ基準面２７に幅寄せする。このためアライナ部５は、アライナ不良リトライ動作を繰り返し行うことにより、幅寄せされにくい小切手ＣＫであっても幅寄せすることができる。
【０１００】
一方、幅寄せが十分であることをアライナ完了検知センサ３５により検出した場合、制御部３は、搬送ローラ３０により小切手ＣＫを第１切替部４４を介してスキャナ部６まで搬送させる。このとき第１切替部４４は、アライナ部５とスキャナ部６とを結び第１搬送路３７と第２搬送路３８との間で小切手ＣＫを搬送させる搬送経路を形成しているため、小切手ＣＫは、第１搬送路３７から第１切替部４４を介し第２搬送路３８へ搬送されスキャナ部６の後受渡口６Ｂへ到達する。このとき制御部３は、スキャナ部６内のスキャナ部モータを、搬送ローラ５６がアライナ部５と同一速度で小切手ＣＫを搬送するように制御する。
【０１０１】
［１−４−１−７．読取動作］
磁気文字読取部トリガセンサ５７で小切手ＣＫの入金読取時搬送方向の先端を検出することによりスキャナ部６に小切手ＣＫが搬送されたことを認識すると、制御部３は、スキャナ部モータを正転させることにより搬送ローラ５６を取込回転方向に回転させ、第２搬送路３８に沿って小切手ＣＫを前受渡口６Ｆへ向かって搬送させつつ、磁気文字読取部トリガセンサ５７と磁気文字読取部ヘッド５２との距離と、小切手ＣＫの搬送速度とから算出したウエイト時間だけ待機した後、磁気文字読取部ヘッド５２により、小切手ＣＫの磁気文字ＭＩＣＲの読み取りを開始し、所定距離だけ小切手ＣＫを搬送させた後、磁気文字ＭＩＣＲの読み取りを終了する。
【０１０２】
続いて制御部３は、第２搬送路３８に沿って小切手ＣＫをさらに前受渡口６Ｆへ向かって搬送させつつ、磁気文字読取部トリガセンサ５７と画像読取部５３との距離と、小切手ＣＫの搬送速度とから算出したウエイト時間だけ、磁気文字読取部トリガセンサ５７で小切手ＣＫを検出した時点から待機した後、裏面画像読取部５３Ｒ及び表面画像読取部５３Ｓにより、それぞれ小切手裏面及び小切手表面の画像を読み取り、読取時画像としての入金読取時裏面画像データ及び入金読取時表面画像データとして記憶部に記憶させる。
【０１０３】
［１−４−１−８．磁気文字読取不良リトライ動作］
ここで、磁気文字読取部ヘッド５２による磁気文字ＭＩＣＲの読取結果が不良である磁気文字読取不良が発生していると検出した場合、制御部３は、磁気文字読取不良リトライ動作を行う。具体的に制御部３は、スキャナ部モータを停止させることにより搬送ローラ５６を停止させ、スキャナ部からアライナ部５へ向かって小切手ＣＫを戻す戻し処理をまず行う。制御部３は、スキャナ部モータおよびアライナモータを逆転させることにより搬送ローラ５６を戻し回転方向へ回転させ、スキャナ部モータの送り量を監視しつつ、予め設定された所定距離だけ第２搬送路３８及び第１搬送路３７に沿って小切手ＣＫをアライナ部５に向かって磁気文字読取部トリガセンサ５７よりも入金読取時搬送方向の上流側まで小切手ＣＫを搬送させた後、スキャナ部モータおよびアライナモータを停止させることにより搬送ローラ５６を停止させ、小切手ＣＫを停止させる。
【０１０４】
その後制御部３は、スキャナ部モータおよびアライナモータを正転させることにより搬送ローラ５６を取込回転方向へ回転させ、小切手ＣＫを磁気文字読取部ヘッド５２に向かって再び搬送させるリトライ処理を、所定回数だけ行う。
【０１０５】
一方、磁気文字読取部ヘッド５２による磁気文字ＭＩＣＲの読取結果が正常であることを検出した場合、制御部３は、搬送ローラ５６により小切手ＣＫを第２切替部４５まで搬送させる。このとき制御部３は、スタンプ５４及びプリンタ５５において小切手ＣＫに対し取引情報の印字を行うことなく、第２切替部４５まで搬送させる。
【０１０６】
［１−４−１−９．一時保留部搬送動作］
このとき第２切替部４５は、スキャナ部６と一時保留部７とを結び第２搬送路３８と一時保留部搬送路４０との間で小切手ＣＫを搬送させる搬送経路を形成しているため、小切手ＣＫは、第２搬送路３８から第２切替部４５を介し一時保留部搬送路４０へ搬送され一時保留部７へ搬送される。
【０１０７】
制御部３は、印字トリガセンサ５８、一時保留部受渡センサ６０及び一時保留部残留センサ６１により小切手ＣＫを監視しつつ、スキャナ部モータ及び一時保留部モータを正転させて小切手ＣＫを一時保留部７内の所定の位置まで搬送させた後にスキャナ部モータ及び一時保留部モータを停止させる。１枚の小切手ＣＫを一時保留部７に保留させると、制御部３は入金読取処理を完了する。
【０１０８】
このとき制御部３は、スキャナ部６において読み取った小切手ＣＫの磁気文字ＭＩＣＲ、入金読取時裏面画像データ及び入金読取時表面画像データを操作表示部に表示し、取引内容の確認を利用者に促し、入金処理を継続するか否かを利用者に選択させる。
【０１０９】
［１−４−２．入金収納処理］
［１−４−２−１．取引情報印字動作］
制御部３は、利用者により取引内容が承認され入金処理の継続が指示された場合、入金収納処理を開始する。具体的に制御部３は、印字トリガセンサ５８、一時保留部受渡センサ６０及び一時保留部残留センサ６１により小切手ＣＫを監視しつつ、スキャナ部モータ及び一時保留部モータを逆転させて一時保留部７から一時保留部搬送路４０へ向けて小切手ＣＫを繰り出す。このとき第２切替部４５は、スキャナ部６と一時保留部７とを結び第２搬送路３８と一時保留部搬送路４０との間で小切手ＣＫを搬送させる搬送経路を形成しているため、小切手ＣＫは、一時保留部搬送路４０から第２切替部４５を介し第２搬送路３８へ搬送されスキャナ部６へ搬送される。
【０１１０】
印字トリガセンサ５８で小切手ＣＫの入金収納時搬送方向の先端を検出することによりスキャナ部６に小切手ＣＫが搬送されたことを認識すると、制御部３は、スキャナ部モータを逆転させることにより搬送ローラ５６を戻し回転方向に回転させ、第２搬送路３８に沿って小切手ＣＫを後受渡口６Ｂへ向かって搬送させつつ、印字トリガセンサ５８とプリンタ５５との距離と、小切手ＣＫの搬送速度とから算出したウエイト時間だけ待機した後、プリンタ５５により小切手裏面に取引情報を印字すると共に、スタンプ５４により小切手表面にスタンプ押印を行う。
【０１１１】
［１−４−２−２．印字濃度及び印字不良確認動作］
続いて制御部３は、第２搬送路３８に沿って小切手ＣＫをさらに後受渡口６Ｂへ向かって搬送させつつ、裏面画像読取部５３Ｒ及び表面画像読取部５３Ｓにより、それぞれ小切手裏面及び小切手表面の画像を読み取り、収納時画像としての入金収納時裏面画像データ及び入金収納時表面画像データとして記憶部に記憶させる。このように小切手処理機１は、取引情報を未印字の画像である読取時画像と、取引情報を印字後の画像である収納時画像との両方を取引記録として保管する。
【０１１２】
続いて制御部３は、入金読取処理において記憶部に記憶させた画像データと、現在の入金収納処理において記憶部に記憶させた画像データとを比較して差分値を算出することにより、印字濃度の判定を行う。
【０１１３】
具体的に制御部３は、プリンタ５５により取引情報が印字された小切手裏面の入金読取時裏面画像データと入金収納時裏面画像データとの差分値であるプリンタ印字差分値を算出し、該プリンタ印字差分値を、予め設定されたプリンタ印字濃度判定値と比較することにより、印字された取引情報の印字濃度を判定する。制御部３は、プリンタ印字差分値がプリンタ印字濃度判定値よりも小さい場合、インクが終了する直前の状態であるインクニアエンドと判定し、小切手受付装置の主制御部に通知する。
【０１１４】
小切手受付装置の主制御部は、プリンタ５５のインクニアエンドと通知されると、通知されてから予め設定された所定枚数又は所定文字数だけ印字後、印字濃度が不足しているためプリンタ５５のインクが終了したインクエンドとなったと判定して以後の取引を停止し、保守員に報知を行うことにより、プリンタ５５にインクを補充させる。
【０１１５】
また制御部３は、スタンプ５４により取引情報が押印された小切手表面の入金読取時表面画像データと入金収納時表面画像データとの差分値であるスタンプ押印差分値を算出し、該スタンプ押印差分値を、予め設定されたスタンプ押印濃度判定値と比較することにより、押印された取引情報の押印濃度を判定する。制御部３は、スタンプ押印差分値がスタンプ押印濃度判定値よりも小さい場合、インクが終了する直前の状態であるインクニアエンドと判定し、小切手受付装置の主制御部に通知する。
【０１１６】
小切手受付装置の主制御部は、スタンプ５４のインクニアエンドと通知されると、通知されてから予め設定された所定枚数又は所定回数だけ押印後、押印濃度が不足しているためスタンプ５４のインクが終了したインクエンドとなったと判定して以後の取引を停止し、保守員に報知を行うことにより、スタンプ５４にインクを補充させる。
【０１１７】
このように制御部３は、収納時画像における、取引情報印字部６６において行われた印字の濃度を、所定の判定濃度値と比較して、該判定濃度値よりも低い場合に、取引情報印字部６６のインクが終了する直前の状態であるインクニアエンドと判定するようにした。
【０１１８】
続いて制御部３は、入金読取時裏面画像データと入金収納時裏面画像データとの差分を算出して、印字された文字の形状を求め、この形状を、予め記憶されたフォントデータと比較することにより、プリンタ５５の動作不良やノズル詰まりによる印字不良が発生したか否かの判定を行い、印字不良と判定した場合、小切手受付装置の主制御部に通知する。小切手受付装置の主制御部は、プリンタ５５の印字不良と通知されると、以後の取引を停止し、保守員に報知を行う。
【０１１９】
続いて制御部３は、入金読取時表面画像データと入金収納時表面画像データとの差分を算出して、押印されたスタンプの押印結果の形状を求め、この形状を、予め記憶されたスタンプ形状と比較することにより、スタンプ５４の押印不良が発生したか否かの判定を行い、押印不良と判定した場合、小切手受付装置の主制御部に通知する。小切手受付装置の主制御部は、スタンプ５４の押印不良と通知されると、取引を停止し、保守員に報知を行う。このように制御部３は、プリンタ５５の印字不良又はスタンプ５４の押印不良である印字不良が発生した場合、以後の取引を停止する。
【０１２０】
［１−４−２−３．小切手収納庫搬送動作］
続いて制御部３は、磁気文字読取部ヘッド５２による磁気文字ＭＩＣＲの読み取りを行うことなく、搬送ローラ５６により小切手ＣＫを第１切替部４４まで搬送させる。このとき第１切替部４４は、スキャナ部６と小切手収納庫９とを結び第２搬送路３８と第３搬送路３９との間で小切手ＣＫを搬送させる搬送経路を形成しているため、小切手ＣＫは、第２搬送路３８から第１切替部４４を介し第３搬送路３９へ搬送され、第３切替部４６へ到達する。このとき第３切替部４６は、小切手ＣＫの種類に応じて、第３搬送路３９と例えば小切手収納庫９Ａとを結び第３搬送路３９から小切手収納庫第１搬送路４２Ａへ小切手ＣＫを搬送させる搬送経路を形成しているため、小切手ＣＫは、第３搬送路３９から第３切替部４６を介し小切手収納庫第１搬送路４２Ａへ搬送される。続いて制御部３は、小切手ＣＫを小切手収納庫第１搬送路４２Ａに沿って小切手収納庫９Ａまで搬送させ、該小切手収納庫９Ａ内に放出させる。
【０１２１】
このように入金処理において利用者が取引内容を承認した場合、小切手処理機１は、入金収納処理を開始し、小切手裏面に取引内容の印字を行うと共に小切手表面にスタンプを押印した後、小切手ＣＫを小切手収納庫９に搬送して集積する。
【０１２２】
また小切手処理機１は、入金収納時搬送方向に沿って小切手ＣＫを搬送させつつプリンタ５５により小切手裏面に取引情報を印字すると共にスタンプ５４により小切手表面にスタンプ押印を行った後に、小切手裏面及び小切手表面の画像を読み取り、入金読取処理時に取得した画像との差分を取り、印字濃度の判定を行うことにより、インクエンド、すなわちインク残量が所定値以下であるか否かを認識するようにした。すなわち小切手処理機１は収納時画像における取引情報印字部６６において行われた印字の濃度が所定の濃度よりも薄い場合に、取引情報印字部６６におけるインク残量が所定値以下であると判定するようにした。
【０１２３】
［１−５．返却処理］
［１−５−１．返却時搬送動作］
一方、入金読取処理完了後に利用者により取引内容が承認されず入金処理の中止が指示された場合、制御部３は返却処理を開始する。具体的に制御部３は、印字トリガセンサ５８、一時保留部受渡センサ６０及び一時保留部残留センサ６１により小切手ＣＫを監視しつつ、スキャナ部モータ及び一時保留部モータを逆転させて、一時保留部７から一時保留部搬送路４０へ向けて小切手ＣＫを繰り出す。このとき第２切替部４５は、スキャナ部６と一時保留部７とを結び第２搬送路３８と一時保留部搬送路４０との間で小切手ＣＫを搬送させる搬送経路を形成しているため、小切手ＣＫは、一時保留部搬送路４０から第２切替部４５を介し第２搬送路３８へ搬送されスキャナ部６へ搬送される。
【０１２４】
印字トリガセンサ５８で小切手ＣＫの返却時搬送方向の先端を検出することによりスキャナ部６に小切手ＣＫが搬送されたことを認識すると、制御部３は、スキャナ部モータを逆転させることにより搬送ローラ５６を戻し回転方向に回転させ、第２搬送路３８に沿ってプリンタ５５による印字とスタンプ５４によるスタンプ押印とを行うことなく小切手ＣＫを後受渡口６Ｂへ向かって搬送させる。
【０１２５】
続いて制御部３は、画像読取部５３による小切手ＣＫの画像の読み取りと磁気文字読取部ヘッド５２による磁気文字ＭＩＣＲの読み取りとを行うことなく、搬送ローラ５６により小切手ＣＫを第１切替部４４まで搬送させる。このとき第１切替部４４は、スキャナ部６とアライナ部５とを結び第２搬送路３８と第１搬送路３７との間で小切手ＣＫを搬送させる搬送経路を形成しているため、小切手ＣＫは、第２搬送路３８から第１切替部４４を介し第１搬送路３７へ搬送され、アライナ部５へ到達する。
【０１２６】
続いて制御部３は、アライナモータを逆転させることにより搬送ローラ２８、駆動ローラ２９及び搬送ローラ３０を戻し回転方向へ回転させ、小切手ＣＫを入金部４に向かって搬送させる。このとき制御部３は、それぞれ束搬送部１０を載置ポジションに、ピッカプレス１６をホームポジションに、部分舌片２３を集積ポジションにすることにより、集積回転方向側の羽部２３Ｂを、未分離の小切手束ＣＫＢの上に当接させると共に、取込回転方向側の羽部２３Ｂを、該小切手束ＣＫＢの上面よりも上方へ浮かせた状態とし、小切手束ＣＫＢの上に小切手ＣＫを集積させる準備を行う。これにより分離部１５は、未分離の小切手束ＣＫＢが小切手ＣＫの折れ癖等により浮き上がって繰出取込口４Ｂを塞がないように押さえると共に、アライナ部５から搬送され分離部１５に放出される小切手ＣＫを、未分離の小切手束ＣＫＢよりも上側に押し上げてコシをつけ、該小切手束ＣＫＢに引っ掛からないようにさせる。
【０１２７】
［１−５−２．集積動作］
続いて制御部３は、アライナ部５から繰出取込口４Ｂを介して部分舌片２３の上側へ小切手ＣＫを放出する。このとき制御部３は、分離部残留センサ３４により小切手ＣＫの位置を監視し、該分離部残留センサ３４で小切手ＣＫの返却時搬送方向の後端を検出した際に分離部モータ２０（図５）を減速させることにより、未分離の小切手束ＣＫＢの上方で小切手ＣＫを停止させ、小切手ＣＫが前方へ飛び過ぎないようにする。制御部３は、小切手ＣＫが未分離の小切手束ＣＫＢの上方において部分舌片２３の羽部２３Ｂに載ったところで、分離部モータ２０を停止させることによりフィードローラ１７、リバースローラ１８及びピッカローラ１９を停止させる。
【０１２８】
続いて制御部３は、部分舌片モータ２４により部分舌片２３を集積回転方向へ回転させることにより部分舌片２３を一回転させ、放出された小切手ＣＫを未分離の小切手束ＣＫＢの上に載置させる。
【０１２９】
［１−５−３．束排出動作］
分離部１５に返却された小切手ＣＫの集積完了後、制御部３は、小切手処理機１の設定や利用者の選択に基づき、小切手束ＣＫＢにおける小切手ＣＫの再読取動作か、又は小切手束ＣＫＢの利用者への束排出動作を行う。再読取動作を行う場合制御部３は、上述した入金読取処理と同様の処理を再度行う。
【０１３０】
一方束排出動作を行う場合制御部３は、束搬送部１０を把持ポジションにすることにより小切手束ＣＫＢを把持させると共にピッカプレス１６をホームポジションにし、入金部４のシャッタ４Ｓを上昇させることにより入金口４Ｆを開放させ、束搬送部１０を排出回転方向へ回転させて返却束搬送動作を行い、該小切手束ＣＫＢを前方へ搬送させ、小切手束ＣＫＢの返却時搬送方向の先端を入金口４Ｆから前方へ露出させ、利用者へ受け渡し、利用者に対し小切手ＣＫの確認を促す。
【０１３１】
このとき制御部３は、シャッタ部残留センサ１１により小切手束ＣＫＢの先端を検出し、小切手束ＣＫＢの先端を利用者が掴める位置までそこから規定量だけ該小切手束ＣＫＢを搬送させてから束搬送部回転モータを停止させる。このとき制御部３は、挿入検知センサ１３も並行して監視し、小切手束ＣＫＢを前方へ搬送中に挿入検知センサ１３の検知結果が明状態となったときは、小切手束ＣＫＢが入金口４Ｆから小切手処理機１の外側へ落下する危険性があるため、束搬送部回転モータを緊急停止する。これにより制御部３は、小切手束ＣＫＢを前方である排出方向に送りすぎて落下させないようにする。続いて制御部３は、小切手束ＣＫＢを受け取る旨を示すガイダンス画面を操作表示部に表示する。
【０１３２】
またこのとき制御部３は、挿入検知センサ１３及びシャッタ部残留センサ１１のセンサ状態変化を監視する。具体的に制御部３は、挿入検知センサ１３の検知結果が暗状態になっているにも関わらずシャッタ部残留センサ１１の検知結果が暗状態から明状態に変化した場合、すなわち挿入検知センサ１３により小切手束ＣＫＢを検出しているにも関わらずシャッタ部残留センサ１１を小切手ＣＫが通過した場合、利用者が小切手ＣＫを引き抜いたが小切手束ＣＫＢが未だ束搬送部１０に残留していることになるため、束排出動作を再度行う。
【０１３３】
制御部３は、このような束排出動作を、挿入検知センサ１３及びシャッタ部残留センサ１１の双方の検知結果が明状態になるまで繰り返す。挿入検知センサ１３及びシャッタ部残留センサ１１の双方の検知結果が明状態になると、制御部３は、分離部残留センサ３４の検知結果が明状態であることを確認することにより、分離部１５内に小切手束ＣＫＢが残留していないことを認識する。さらに制御部３は、束搬送部１０を排出回転方向へ回転させると共に分離部１５を集積モードとさせつつ、分離部残留センサ３４及びシャッタ部残留センサ１１を監視し、分離部残留センサ３４及びシャッタ部残留センサ１１何れの検知結果も暗状態にならないことを確認する。これにより制御部３は、分離部１５及び入金部４内に小切手束ＣＫＢが残留していないことを認識して返却処理を終了する。
【０１３４】
このように入金処理において利用者が取引内容をキャンセルした場合、小切手処理機１は、返却処理を開始し、入金読取処理時の搬送経路を逆方向に入金部４まで搬送して小切手ＣＫを分離部１５に集積し、未分離の小切手束ＣＫＢと一緒に利用者に返却するようにした。この処理は、磁気文字の読み取り不良により入金処理がリトライオーバーになった場合にも実行される。
【０１３５】
［１−６．まとめと効果］
ここまで説明したように、第１の実施の形態の小切手処理機１は、分離部１５内における、フィードローラ１７及びリバースローラ１８よりアライナ部５に近い位置に、分離部１５により小切手束ＣＫＢから分離された小切手ＣＫがアライナ部５で幅寄せ可能な位置にあるかどうかを検出する為の分離部残留センサ３４Ｒ、３４Ｌを設けた。これにより、小切手処理機１は、小切手束ＣＫＢから分離した小切手ＣＫがアライナ部５で幅寄せ可能な位置にあるかどうか、つまり小切手ＣＫの幅寄せ基準面２７側の端（右端）が幅寄せ可能範囲Ａｒ内に位置しているかどうかを検出できる。
【０１３６】
こうすることで、小切手処理機１は、例えば、大サイズの小切手束ＣＫＢの中にアライナ部５で幅寄せしきれない位置にある小サイズの小切手ＣＫが混在している場合に、この小サイズの小切手ＣＫを、アライナ部５へ受け渡す前に、幅寄せしきれない小切手ＣＫとして検出できる。
【０１３７】
さらに、小切手処理機１は、リバースローラ１８の同軸上に、小切手束ＣＫＢの一番上の小切手ＣＫを幅寄せ基準面２７側に移動させる機能を備えた部分舌片２３を設けた。そして、小切手処理機１は、分離部残留センサ３４Ｌによりアライナ部５で幅寄せしきれない位置にあると検出された小切手ＣＫについては、アライナ部５へ受け渡さずに、一旦、小切手束ＣＫＢの上に戻し、さらに部分舌片２３を集積方向に回転させることで、小切手束ＣＫＢの上に戻した小切手ＣＫを、幅寄せ基準面２７側に幅寄せする。その後、幅寄せ基準面２７側に幅寄せしたこの小切手ＣＫを、再度、分離部１５で分離する。
【０１３８】
ここで、小切手処理機１は、幅寄せ基準面２７側に幅寄せした小切手ＣＫが、アライナ部５で幅寄せ可能な位置にあると検出されれば、そのままアライナ部５に受け渡し、まだアライナ部５で幅寄せしきれない位置にあると検出されれば、再び、小切手束ＣＫＢの束に戻して、部分舌片２３により幅寄せ基準面２７側に幅寄せするようにした。
【０１３９】
このように、小切手処理機１は、分離部残留センサ３４Ｌによりアライナ部５で幅寄せしきれない位置にあると検出された小切手ＣＫについては、分離部１５内で、部分舌片２３によりアライナ部５で幅寄せ可能な位置まで移動させてから、アライナ部５に受け渡すようにした。
【０１４０】
こうすることで、小切手処理機１は、分離工程以降の工程の処理で不具合が発生したり、アライナ部５での幅寄せを何度も繰り返して（リトライして）幅寄せしたりする状況を回避することができる。
【０１４１】
ところで、分離部１５の部分舌片２３を省略して、代わりにアライナ部５の幅寄せ能力を向上させて幅寄せ可能範囲Ａｒを広げることで、幅寄せ基準面２７から離れている小サイズの小切手ＣＫでもアライナ部５だけで幅寄せ基準面２７に幅寄せできるようにすることも考えられる。しかしながら、この場合、小サイズの小切手ＣＫが幅寄せ基準面２７から最も離れたときの位置を基準にアライナ部５の幅寄せ能力が設定される為、幅寄せ基準面２７に近い位置にある小切手ＣＫを幅寄せするときには、幅寄せする力が強すぎて、この小切手ＣＫの幅寄せ基準面２７側の端にしわや折れが発生し易くなってしまう。特に、小サイズの小切手ＣＫの幅方向の長さと大サイズの小切手ＣＫの幅方向の長さとの差分が大きい程、このようなしわや折れが発生し易くなる。小切手ＣＫにしわや折れが発生すると、以降の工程でＭＩＣＲ文字や画像を読み取ったり印字したりする際に、正常に読み取ることができなかったり正常に印字できなかったりする不具合が生じる。
【０１４２】
そこで、本実施の形態の小切手処理機１では、アライナ部５の幅寄せ能力を向上させるのではなく、分離部１５側にアライナ部５で幅寄せしきれない位置にあると検出された小切手ＣＫをアライナ部５で幅寄せ可能な位置まで幅寄せする機構（部分舌片２３）を持たせ、分離部１５内で小切手ＣＫをアライナ部５で幅寄せ可能な位置まで幅寄せしてからアライナ部５に受け渡すようにした。こうすることで、小切手処理機１は、アライナ部５で小切手ＣＫを幅寄せする際に、小切手ＣＫにしわや折れが発生することを防ぐこともできる。
【０１４３】
［２．第２の実施の形態］
次に、第２の実施の形態について説明する。上述した第１の実施の形態では、分離部１５に設けられている分離部残留センサ３４Ｒ、３４Ｌを用いて小切手ＣＫがアライナ部５で幅寄せ可能な位置にあるかどうかを検出したが、この第２の実施の形態では、さらに小切手ＣＫのサイズも検出するようになっている。すなわち、この第２の実施の形態では、図１１に示すように、分離部残留センサ３４Ｌの位置を、全体が幅寄せ可能範囲Ａｒ外を通る小サイズの小切手ＣＫを検出可能な位置で、且つ一部が幅寄せ可能範囲Ａｒ内を通る小サイズの小切手ＣＫについては検出できない位置（つまり、分離部残留センサ３４Ｒから小サイズの小切手ＣＫの幅方向の長さＬｓだけ離れた位置）に配置して、分離部残留センサ３４Ｒ、３４Ｌの検出結果をもとに、小切手ＣＫのサイズ（大サイズが小サイズか）を検出するようになっている。尚、小サイズの小切手ＣＫの幅方向の長さＬｓにばらつきがあることを考慮して、分離部残留センサ３４Ｌの位置を、分離部残留センサ３４ＲからＬｓ＋ばらつき分だけ離れた位置に配置してもよい。また、小切手処理機１の構成、及び分離動作以外の動作については、第１の実施の形態と同様の為、説明は省略する。
【０１４４】
［２−１．分離動作］
第２の実施の形態の小切手処理機１の制御部３は、第１の実施の形態と同様にして、分離部１５により小切手束ＣＫＢから小切手ＣＫを分離してアライナ部５へ引き渡す。この分離動作中、制御部３は、第１の実施の形態と同様にして、アライナ部５で幅寄せしきれない位置にあると検出された小切手ＣＫをアライナ部５で幅寄せ可能な位置まで幅寄せしてからアライナ部５へ引き渡す。くわえて、この分離動作中、制御部３は、分離部残留センサ３４Ｒ、３４Ｌを用いてアライナ部５へと繰り出される小切手ＣＫのサイズを検出するようになっている。
【０１４５】
ここで、小切手ＣＫのサイズを検出する動作（これをサイズ検出動作と呼ぶ）について、図１２に示すフローチャートを用いて詳しく説明する。まず、制御部３は、ステップＳＰ１０において、幅寄せ基準面２７に近い方の分離部残留センサ３４Ｒが小切手ＣＫを検出するまで待ち受ける。ここで、分離部残留センサ３４Ｒが小切手ＣＫを検出すると、このことは、小切手ＣＫの右端が幅寄せ可能範囲Ａｒ内を通っていること、すなわち、この小切手ＣＫがアライナ部５へ繰り出すことが可能な小切手ＣＫであることを意味する。このとき、制御部３は、ステップＳＰ１０で肯定結果を得てステップＳＰ１１に移る。
【０１４６】
ステップＳＰ１１において制御部３は、幅寄せ基準面２７から遠い方の分離部残留センサ３４Ｌが分離部残留センサ３４Ｒとほぼ同時に小切手ＣＫを検出したかどうかを判定する。ここで、分離部残留センサ３４Ｌが、分離部残留センサ３４Ｒと同時に小切手ＣＫを検出したとすると、このことは、小切手ＣＫの幅方向の長さが、小サイズの小切手ＣＫの幅方向の長さＬｓより大きいことを意味する。このとき、制御部３は、ステップＳＰ１１で肯定結果を得てステップＳＰ１２に移り、分離した小切手ＣＫが大サイズの小切手ＣＫであると判定する。
【０１４７】
一方で、分離部残留センサ３４Ｌが小切手ＣＫを検出していない場合、このことは、小切手ＣＫの幅方向の長さが、小サイズの小切手ＣＫの幅方向の長さＬｓ以下であることを意味する。このとき、制御部３は、ステップＳＰ１１で否定結果を得てステップＳＰ１３に移り、分離した小切手ＣＫが小サイズの小切手ＣＫであると判定する。以上が、サイズ検出動作である。
【０１４８】
制御部３は、このようにして検出した小切手ＣＫのサイズを、上位の主制御部（図示せず）に通知する。これにより、主制御部は、小切手ＣＫのサイズから、小切手ＣＫの種別（ビジネス用又は個人用）を特定することが可能となる。さらに、主制御部が、特定した小切手ＣＫの種別に対応する取引画面（ビジネス向けの画面又は個人向けの画面）を操作表示部に表示するようにしてもよい。尚、制御部３が、小切手ＣＫの種別（ビジネス用又は個人用）を特定するようにして、これを主制御部に通知してもよい。
【０１４９】
また、検出した小切手ＣＫのサイズをもとに、制御部３が、搬送されている小切手ＣＫを小切手処理機１の搬送路３６上に設けられた各センサで監視するときの監視動作を切り替えるようにしてもよい。小切手処理機１の各センサは、小切手ＣＫが各センサの位置を通過するときに計測したＯＮ時間と基準のＯＮ時間（これを基準ＯＮ時間と呼ぶ）とを比較して異常を検出するようになっている。実際、各センサで計測されたＯＮ時間が基準ＯＮ時間より長ければ、小切手ＣＫが正常な搬送速度で搬送されていない、小切手ＣＫが重なって搬送されているなどの搬送異常が発生していると想定される。一方で、各センサで計測されたＯＮ時間が基準ＯＮ時間より短ければ、小切手ＣＫの切れ、折れなどの媒体異常が発生していると想定される。
【０１５０】
この基準ＯＮ時間を、小切手ＣＫのサイズに応じて切り替えるようにすればよい。すなわち、大サイズの小切手ＣＫと、小サイズの小切手ＣＫは、搬送方向（長手方向）の長さが異なる為、大サイズの小切手ＣＫに対しては、大サイズの小切手ＣＫの長手方向の長さに合わせた長めの基準ＯＮ時間を用い、小サイズの小切手ＣＫに対しては、小サイズの小切手ＣＫの長手方向の長さに合わせた短めの基準ＯＮ時間を用いるようにする。このようにすれば、小切手ＣＫのサイズに合わせたより細かな監視が可能となり、搬送異常、媒体異常をより正確に検出することが可能となる。
【０１５１】
また、分離部残留センサ３４を例えば図１３に示すように３個以上設けてもよい。尚、図１３は、一例として、分離部残留センサ３４Ｒ、３４Ｌにくわえて、分離部残留センサ３４Ｘを設けた例である。分離部残留センサ３４Ｘは、分離部残留センサ３４Ｒから大サイズの小切手ＣＫの幅方向の長さＬｂだけ離れた位置に設けられている。
【０１５２】
このように分離部残留センサ３４を３個以上設けるようにすれば、各分離部残留センサ３４の検出タイミングのずれパターンから、小切手ＣＫの破れ、折れ、斜行などの異常を検出することも可能となる。例えば、３個の分離部残留センサ３４のうち、中央の分離部残留センサ３４が、両端の分離部残留センサ３４より少し遅れて小切手ＣＫを検出した場合には、小切手ＣＫの中央が破損していると検出する。また、３個の分離部残留センサ３４が、一方、中央、他方の順に小切手ＣＫを検出した場合には、小切手ＣＫが斜行していると検出する。
【０１５３】
分離部残留センサ３４以外のセンサについても同様であり、複数個設けて、検出タイミングのずれパターンから、小切手ＣＫの破れ、折れ、斜行などの異常を検出するようにしてもよい。
【０１５４】
［２−２．まとめと効果］
ここまで説明したように、第２の実施の形態の小切手処理機１は、分離部残留センサ３４Ｒ、３４Ｌを用いて、小切手ＣＫがアライナ部５で幅寄せ可能な位置にあるかどうかにくわえて小切手ＣＫのサイズを検出するようにした。こうすることで、アライナ部５へと小切手ＣＫを繰り出す前に、小切手ＣＫのサイズを特定することが可能となり、サイズに応じた動作を行うことができる。
【０１５５】
また、小切手処理機１は、小切手ＣＫのサイズに応じて、各センサの監視動作を切り替える（すなわち基準ＯＮ時間を切り替える）ことで、小切手ＣＫの搬送異常、媒体異常を、より正確に検出することができる。
【０１５６】
また、小切手処理機１は、小切手ＣＫのサイズを、上位の主制御部に通知するようにした。こうすることで、主制御部側では、小切手ＣＫのサイズから小切手ＣＫの種別を特定することができ、種別に対応する取引画面を操作表示部に表示することで、顧客の利便性を向上させることができる。
【０１５７】
［３．他の実施の形態］
［３−１．他の実施の形態１］
尚、上述した第１及び第２の実施の形態では、分離部残留センサ３４Ｒ、３４Ｌを用いてアライナ部５へと繰り出される小切手ＣＫの幅方向の位置を監視し、小切手ＣＫの幅方向の位置がアライナ部５で幅寄せ可能な位置にない場合には、分離部１５側で小切手ＣＫをアライナ部５で幅寄せ可能な位置まで幅寄せしてからアライナ部５に繰り出すようにした。これに限らず、小切手ＣＫの幅方向の位置がアライナ部５で幅寄せ可能な位置にない場合には、この小切手ＣＫを、小切手束ＣＫＢの上に戻した後、上述した束排出動作により、この小切手束ＣＫＢを、利用者に受け渡し、利用者に対し小切手ＣＫの確認を促すようにしてもよい。この場合、主制御部が、操作表示部に、小サイズの小切手ＣＫを幅寄せ基準面２７側に寄せてから再度小切手束ＣＫＢを挿入するよう促す表示をしてもよい。また、この場合、分離部１５から、小切手ＣＫを幅寄せ基準面２７側に移動させる機能を省略してもよい。
【０１５８】
［３−２．他の実施の形態２］
また、上述した第１及び第２の実施の形態では、分離部１５に、円筒部２３Ａと、円筒部２３Ａの外周から周方向に間隔を空けて放射状に延び、円筒部２３Ａの回転軸方向に対して所定の角度だけ傾いている薄板状の羽部２３Ｂとで構成される部分舌片２３を設け、この部分舌片２３により小切手ＣＫを幅寄せ基準面２７側に移動させるようにした。これに限らず、小切手ＣＫを幅寄せ基準面２７側に移動させることができる機構であれば、部分舌片２３とは異なる機構を分離部１５に設けるようにしてもよい。例えば、ピッカプレス１６の上方の空いている箇所に、搬送方向に延びるシャフトに固定された部分舌片を設け、この部分舌片を回転させることで、小切手束ＣＫＢの一番上の小切手ＣＫを、幅寄せ基準面２７側に移動させるようにしてもよい。この部分舌片の羽部は、回転軸方向に対して傾いている必要はない。また、これに限らず、部分舌片２３の羽部２３Ｂ全体を回転軸方向に対して傾けるのではなく、羽部２３Ｂの断面形状を三角形状にして、羽部２３Ｂの小切手ＣＫと接触する面を回転軸方向に対して傾けるようにしてもよい。また、部分舌片２３の代わりに、円筒部２３Ａの外周全体から羽部２３Ｂが延びている羽根車と、この羽根車を分離動作時には退避させる退避機構とを、分離部１５に設けるなどしてもよい。
【０１５９】
［３−３．他の実施の形態３］
さらに、上述した第１及び第２の実施の形態では、分離部１５のフィードローラ１７及びリバースローラ１８とアライナ部５が設けられた第１搬送路３７との間に、分離部残留センサ３４Ｒ、３４Ｌを設けたが、分離部残留センサ３４Ｒ、３４Ｌの位置は、分離部１５のフィードローラ１７及びリバースローラ１８とアライナ部５の搬送ローラ２８との間であればよい。
【０１６０】
また、上述した第１及び第２の実施の形態では、分離部残留センサ３４として、右端が幅寄せ可能範囲Ａｒ内に位置している小切手ＣＫを検出する１個の分離部残留センサ３４Ｒと、全体が幅寄せ可能範囲Ａｒ外に位置している小切手ＣＫを検出する１個の分離部残留センサ３４Ｌを設けた。これに限らず、分離部残留センサ３４Ｒを複数個設けてもよいし、また分離部残留センサ３４Ｌについても複数個設けてもよい。
【０１６１】
［３−４．他の実施の形態４］
さらに、上述した第１及び第２の実施の形態では、２種類のサイズの異なる小切手ＣＫを扱う小切手処理機１に本発明を適用したが、これに限らず、３種類以上の小切手ＣＫを扱う小切手処理機に適用してもよい。この場合、小切手ＣＫが分離部１５から繰り出される際に、少なくともどれか１個の分離部残留センサ３４が、必ずこの小切手ＣＫを検出できるように、分離部残留センサ３４の数及び位置を決めればよい。
【０１６２】
また、上述した各実施の形態では、本発明を、媒体処理装置としての小切手処理機１に適用したが、これに限らず、媒体束から媒体を分離する分離部と、分離された媒体を幅寄せする幅寄せ部とを有する媒体処理装置であれば、小切手処理機１とは異なる構成の媒体処理装置にも適用できる。例えば、小切手以外の紙葉状の媒体（チケット、カードなど）を扱う媒体処理装置にも適用できる。
【０１６３】
［３−５．他の実施の形態５］
さらに、上述した第１及び第２の実施の形態では、小切手処理機１に、媒体の束を受け入れる受入部の具体例として入金部４を設けたが、これに限らず、媒体の束を受け入れ可能なものであれば、入金部４とは異なる構成の受入部を設けてもよい。さらに、第１及び第２の実施の形態では、小切手処理機１に、媒体分離部の具体例としてフィードローラ１７及びリバースローラ１８を設けたが、これに限らず、媒体を分離可能なものであれば、フィードローラ１７及びリバースローラ１８とは異なる構成の媒体分離部を設けてもよい。さらに、第１及び第２の実施の形態では、小切手処理機１に、分離後媒体幅寄せ部の具体例としてアライナ部５を設けたが、これに限らず、媒体分離部によって分離された媒体を搬送路の幅寄せ基準面側に幅寄せ可能なものであれば、アライナ部５とは異なる構成の分離後媒体幅寄せ部を設けてもよい。
【０１６４】
さらに、第１及び第２の実施の形態では、小切手処理機１に、媒体が分離後媒体幅寄せ部で幅寄せできる幅寄せ可能範囲内に位置しているかどうかを検出する検出部の具体例として制御部３及び分離部残留センサ３４Ｒ、３４Ｌを設けたが、これに限らず、媒体が幅寄せ可能範囲内に位置しているかどうかを検出可能なものであれば、制御部３及び分離部残留センサ３４Ｒ、３４Ｌとは異なる構成の検出部を設けてもよい。
【０１６５】
さらに、第１及び第２の実施の形態では、小切手処理機１に、分離待ちの媒体の束の上に戻された媒体を幅寄せ基準面側に幅寄せする分離前媒体幅寄せ部の具体例として羽根車である部分舌片２３を設けたが、これに限らず、媒体の束の上に戻された媒体を幅寄せ基準面側に幅寄せ可能なものであれば、部分舌片２３とは異なる構成の分離前媒体幅寄せ部を設けてもよい。さらに、第１及び第２の実施の形態では、搬送路に設けられたセンサにより媒体の搬送を監視する媒体監視部の具体例として制御部３を用いたが、これに限らず、搬送路に設けられたセンサにより媒体の搬送を監視するものであれば、制御部３以外の媒体監視部を用いてもよい。
【０１６６】
［３−６．他の実施の形態６］
さらに、本発明は、上述した各実施の形態に限定されるものではない。すなわち本発明は、上述した第１及び第２の実施の形態と他の実施の形態の一部または全部を任意に組み合わせた実施の形態や、一部を抽出した実施の形態にもその適用範囲が及ぶものである。
【産業上の利用可能性】
【０１６７】
本発明は、例えば小切手を束のまま挿入可能な装置で利用できる。
【符号の説明】
【０１６８】
１……小切手処理機、３……制御部、４……入金部、５……アライナ部、１５……分離部、１７……フィードローラ、１８……リバースローラ、２３……部分舌片、２３Ａ……円筒部、２３Ｂ……羽部、２７……幅寄せ基準面、３４Ｒ、３４Ｌ……分離部残留センサ、３６……搬送路、３７……第１搬送路、Ａｒ……幅寄せ可能範囲、ＣＫ……小切手、ＣＫＢ……小切手束、Ｌｍ……幅寄せ限界線。
【図１】
2017214188.tif 000003
【図２】
2017214188.tif 000004
【図３】
2017214188.tif 000005
【図４】
2017214188.tif 000006
【図５】
2017214188.tif 000007
【図６】
2017214188.tif 000008
【図７】
2017214188.tif 000009
【図８】
2017214188.tif 000010
【図９】
2017214188.tif 000011
【図１０】
2017214188.tif 000012
【図１１】
2017214188.tif 000013
【図１２】
2017214188.tif 000014
【図１３】
2017214188.tif 000015